(57)【要約】  フリップフロップ回路（１１ａ）は、ゲート端子がＳＢ端子に接続され、ソース端子がＲＢ端子に接続され、ドレイン端子が第１及び第２ＣＭＯＳ回路に接続された入力トランジスタ（Ｔｒ１９）と、第１または第２ＣＭＯＳ回路に接続されるとともにＳＢ信号がアクティブになったときにＲＢ端子に接続される電源（ＶＳＳ）と、調整回路（ＲＣ）とを備えている。これにより、動作不具合を生じることなく、フリップフロップ及びこれを用いたシフトレジスタの小型化を図る。
2013002190.tif 000002
【特許請求の範囲】
【請求項１】
Ｐチャネル型の第１トランジスタとＮチャネル型の第２トランジスタのゲート端子同士及びドレイン端子同士が互いに接続された第１ＣＭＯＳ回路と、Ｐチャネル型の第３トランジスタとＮチャネル型の第４トランジスタのゲート端子同士及びドレイン端子同士が互いに接続された第２ＣＭＯＳ回路と、複数の入力端子と、第１及び第２出力端子とを備え、上記第１ＣＭＯＳ回路のゲート側と上記第２ＣＭＯＳ回路のドレイン側と上記第１出力端子とが互いに接続されるとともに、上記第１ＣＭＯＳ回路のドレイン側と上記第２ＣＭＯＳ回路のゲート側と上記第２出力端子とが互いに接続されたフリップフロップであって、
ゲート端子が第１入力端子に接続され、ソース端子が第２入力端子に接続され、ドレイン端子が上記第１ＣＭＯＳ回路及び上記第２ＣＭＯＳ回路に接続された入力トランジスタと、
上記第１ＣＭＯＳ回路または上記第２ＣＭＯＳ回路に接続されるとともに、上記第１入力端子に入力される第１入力信号がアクティブになったときに、上記第２入力端子に電気的に接続される電源と、
上記第２入力端子と上記電源とが電気的に接続されたときの両者の間の電位を調整する調整回路と、を備えていることを特徴とするフリップフロップ。
【請求項２】
上記調整回路は、上記第１〜第４トランジスタのうち上記電源に接続されるトランジスタの駆動能力を低下させることを特徴とする請求項１に記載のフリップフロップ。
【請求項３】
上記調整回路は抵抗により構成されていることを特徴とする請求項１または２に記載のフリップフロップ。
【請求項４】
上記電源に接続されるトランジスタと、ドレイン端子が該トランジスタのドレイン端子に接続されるトランジスタと、これらトランジスタのドレイン端子に接続される上記第１または第２出力端子と、の接続点を第１接続点としたとき、
上記抵抗は、上記電源と上記第１接続点との間に設けられていることを特徴とする請求項３に記載のフリップフロップ。
【請求項５】
上記調整回路は、上記第１〜第４トランジスタの何れか１つにより構成されており、
上記調整回路としてのトランジスタのチャネル長は、上記入力トランジスタのチャネル長よりも長く設定されていることを特徴とする請求項１に記載のフリップフロップ。
【請求項６】
上記入力トランジスタはＰチャネル型であって、上記第２入力端子には、非アクティブ時に第１電位となり、アクティブ時に第１電位よりも低い第２電位となる信号が入力されることを特徴とする請求項１〜５の何れか１項に記載のフリップフロップ。
【請求項７】
上記入力トランジスタはＮチャネル型であって、上記第２入力端子には、アクティブ時に第１電位となり、非アクティブ時に第１電位よりも低い第２電位となる信号が入力されることを特徴とする請求項１〜５の何れか１項に記載のフリップフロップ。
【請求項８】
上記入力トランジスタはＰチャネル型であって、上記第２入力端子は高電位側電源に接続されていることを特徴とする請求項１〜５の何れか１項に記載のフリップフロップ。
【請求項９】
上記入力トランジスタはＮチャネル型であって、上記第２入力端子は低電位側電源に接続されていることを特徴とする請求項１〜５の何れか１項に記載のフリップフロップ。
【請求項１０】
上記第１入力端子にはセット用信号が入力され、上記第２入力端子にはリセット用信号が入力されることを特徴とする請求項１〜９の何れか１項に記載のフリップフロップ。
【請求項１１】
上記第１入力端子にはリセット用信号が入力され、上記第２入力端子にはセット用信号が入力されることを特徴とする請求項１〜９の何れか１項に記載のフリップフロップ。
【請求項１２】
初期化用信号が入力される第３入力端子をさらに備え、
上記第３入力端子は、上記第１〜第４トランジスタの何れか１つのソース端子に接続されていることを特徴とする請求項１〜１１の何れか１項に記載のフリップフロップ。
【請求項１３】
各段に請求項１〜１２の何れか１項に記載のフリップフロップを備え、
各段は、上記フリップフロップの出力信号に基づいて自段の出力信号を出力することを特徴とするシフトレジスタ。
【請求項１４】
請求項１３に記載のシフトレジスタと画素回路とがモノリシックに形成されていることを特徴とする表示パネル。
【請求項１５】
請求項１３に記載のシフトレジスタを備えていることを特徴とする表示装置。
【発明の詳細な説明】
【技術分野】
【０００１】
本発明は、フリップフロップ及び各シフトレジスタに関する。
【背景技術】
【０００２】
近年、液晶表示装置の狭額縁化を図るため、液晶パネルを駆動する表示駆動回路の縮小化が求められている。表示駆動回路の規模は、回路を構成するトランジスタの素子数に大きく影響するため、トランジスタ数を削減することが重要である。【０００３】
図２０の（ａ）は、従来の液晶表示装置の各種表示駆動回路に用いられるフリップフロップの構成を示す回路図である。同図に示すように、フリップフロップ１００ａは、ＣＭＯＳ回路を構成するＰチャネル型トランジスタｐ２２及びＮチャネル型トランジスタｎ２１と、ＣＭＯＳ回路を構成するＰチャネル型トランジスタｐ２３及びＮチャネル型トランジスタｎ２２と、Ｐチャネル型トランジスタｐ２１と、ＳＢ端子と、ＲＢ端子と、ＩＮＩＴ端子と、Ｑ端子、ＱＢ端子とを備えている。【０００４】
トランジスタｐ２２のゲート端子と、トランジスタｎ２１のゲート端子と、トランジスタｐ２３のドレイン端子と、トランジスタｎ２２のドレイン端子と、トランジスタｐ２１のドレイン端子と、Ｑ端子とが、接続されているとともに、トランジスタｐ２２のドレイン端子と、トランジスタｎ２１のドレイン端子と、トランジスタｐ２３のゲート端子と、トランジスタｎ２２のゲート端子と、ＱＢ端子とが、接続されている。ＳＢ端子がトランジスタｐ２１のゲート端子に接続され、ＲＢ端子がトランジスタｐ２１のソース端子とトランジスタｐ２３のソース端子とに接続され、ＩＮＩＴ端子がトランジスタｎ２１のソース端子に接続され、トランジスタｎ２２のソース端子がＶＳＳに接続されている。トランジスタｐ２２、ｎ２１、ｐ２３及びｎ２２がラッチ回路ＬＣを構成し、トランジスタｐ２１がセットトランジスタＳＴとして機能する。【０００５】
図２０の（ｂ）は、フリップフロップ１００ａの動作を示すタイミングチャート（ＩＮＩＴ信号が非アクティブの場合）であり、図２０の（ｃ）は、フリップフロップ１００ａの真理値表（ＩＮＩＴ信号が非アクティブの場合）である。図２０の（ｂ）及び（ｃ）に示すように、フリップフロップ１００ａのＱ信号は、ＳＢ信号がローレベル（アクティブ）かつＲＢ信号がローレベル（アクティブ）の期間にローレベル（非アクティブ）、ＳＢ信号がローレベル（アクティブ）かつＲＢ信号がハイレベル（非アクティブ）の期間にハイレベル（アクティブ）、ＳＢ信号がハイレベル（非アクティブ）かつＲＢ信号がローレベル（アクティブ）の期間にローレベル（非アクティブ）、ＳＢ信号がハイレベル（非アクティブ）かつＲＢ信号がハイレベル（非アクティブ）の期間に保持状態となる。【０００６】
例えば、図２０の（ｂ）の期間ｔ１では、Ｑ端子にＲＢ端子のＶｄｄ（ハイレベル）が出力されてトランジスタｎ２１がオンするため、ＱＢ端子にはＶｓｓ（ローレベル）が出力される。期間ｔ２では、ＳＢ信号がハイレベルとなってトランジスタｐ２１がオフするため、期間ｔ１の状態を維持する。期間ｔ３では、ＲＢ信号がローレベルとなるため、トランジスタｐ２３を介してＱ端子に一旦Ｖｓｓ＋Ｖｔｈ（トランジスタｐ２３の閾値電圧）が出力され、これにより、トランジスタｐ２２がオンしてＱＢ端子にＶｄｄ（ハイレベル）が出力される。さらに、ＱＢ端子がＶｄｄになるため、トランジスタｎ２２がオンしてＱ端子にＶｓｓが出力される。なお、ＳＢ信号及びＲＢ信号がともにローレベル（アクティブ）になった場合は、Ｑ端子にトランジスタｐ２１を介して一旦Ｖｓｓ＋Ｖｔｈが出力され、これにより、トランジスタｐ２２がオンしてＱＢ端子にＶｄｄ（ハイレベル）が出力される。さらに、ＱＢ端子がＶｄｄになるため、トランジスタｎ２２がオンしてＱ端子にＶｓｓが出力される。【０００７】
このように、フリップフロップ１００ａでは、トランジスタｐ２２、ｎ２１、ｐ２３及びｎ２２（２つのＣＭＯＳ回路）でラッチ回路を構成するとともに、ＲＢ端子を、セットトランジスタＳＴとして機能するトランジスタｐ２１のソース端子とトランジスタｐ２３のソース端子とに接続し、かつトランジスタｎ２１のソース端子をＩＮＩＴ端子に接続することで、セット、ラッチ、リセット、ＳＢ信号とＲＢ信号が同時にアクティブになったときの優先決定、及び初期化の各動作を実現している。上記のとおり、フリップフロップ１００ａではＳＢ信号及びＲＢ信号が同時にアクティブになったときにはＲＢ信号（リセット）が優先され、Ｑ信号、ＱＢ信号は非アクティブになる。【０００８】
図２１の（ａ）は、図２０の（ａ）の一変形例であるフリップフロップ１００ｂの構成を示す回路図である。同図に示すように、フリップフロップ１００ｂは、ＣＭＯＳ回路を構成するＰチャネル型トランジスタｐ２４及びＮチャネル型トランジスタｎ２４と、ＣＭＯＳ回路を構成するＰチャネル型トランジスタｐ２５及びＮチャネル型トランジスタｎ２５と、Ｎチャネル型トランジスタｎ２３と、Ｓ端子と、Ｒ端子と、ＩＮＩＴＢ端子と、Ｑ端子、ＱＢ端子とを備えている。【０００９】
トランジスタｐ２４のゲート端子と、トランジスタｎ２４のゲート端子と、トランジスタｐ２５のドレイン端子と、トランジスタｎ２５のドレイン端子と、トランジスタｎ２３のドレイン端子と、ＱＢ端子とが、接続されているとともに、トランジスタｐ２４のドレイン端子と、トランジスタｎ２４のドレイン端子と、トランジスタｐ２５のゲート端子と、トランジスタｎ２５のゲート端子と、Ｑ端子とが、接続されている。Ｓ端子がトランジスタｎ２３のゲート端子に接続され、Ｒ端子がトランジスタｎ２３のソース端子とトランジスタｎ２５のソース端子に接続され、ＩＮＩＴＢ端子がトランジスタｐ２４のソース端子に接続され、トランジスタｐ２５のソース端子がＶＤＤに接続され、トランジスタｎ２４のソース端子がＶＳＳに接続されている。ここでは、トランジスタｐ２４、ｎ２４、ｐ２５及びｎ２５がラッチ回路ＬＣを構成し、トランジスタｎ２３がセットトランジスタＳＴとして機能する。【００１０】
図２１の（ｂ）は、フリップフロップ１００ｂの動作を示すタイミングチャート（ＩＮＩＴＢ信号が非アクティブの場合）であり、図２１の（ｃ）は、フリップフロップ１００ｂの真理値表（ＩＮＩＴＢ信号が非アクティブの場合）である。図２１の（ｂ）及び（ｃ）に示すように、フリップフロップ１００のＱ信号は、Ｓ信号がローレベル（非アクティブ）かつＲ信号がローレベル（非アクティブ）の期間に保持状態、Ｓ信号がローレベル（非アクティブ）かつＲ信号がハイレベル（アクティブ）の期間にローレベル（非アクティブ）、Ｓ信号がハイレベル（アクティブ）かつＲ信号がローレベル（非アクティブ）の期間にハイレベル（アクティブ）、Ｓ信号がハイレベル（アクティブ）かつＲ信号がハイレベル（アクティブ）の期間にローレベル（非アクティブ）になる。
【先行技術文献】
【特許文献】
【００１１】
【特許文献１】国際公開公報「ＷＯ２０１０／１４６７５６（２０１０年１２月２３日公開）」
【発明の概要】
【発明が解決しようとする課題】
【００１２】
上記従来のフリップフロップでは、トランジスタ数が少なく、これを用いた表示駆動回路の面積を削減することができるが、例えば入力信号（ＳＢ端子）の電位レベルが所定値に満たない場合や、セットトランジスタＳＴの駆動能力が低い場合には、誤動作を引き起こす虞がある。【００１３】
例えば、ＳＢ信号がアクティブ（ローレベル）でＲＢ信号が非アクティブ（ハイレベル）となる場合（期間ｔ１）において、ＳＢ信号がアクティブ（ローレベル）になると、それ以前にＱ信号がローレベルでＱＢ信号がハイレベルであった場合にはトランジスタｐ２２がオン状態であるため、トランジスタｎ２２のソース端子に接続されたＶＳＳと、トランジスタｐ２１のソース端子に接続されたＲＢ端子とが短絡する。このとき、ＳＢ信号の電位レベル（ローレベル）がＶｓｓよりも高い場合や、セットトランジスタＳＴのｐ２１の駆動能力がトランジスタｎ２２の駆動能力よりも低い場合には、Ｑ端子がＶｄｄに充分に近づかない。これにより、トランジスタｎ２１が正常にオンしないため、Ｑ端子がＶｄｄ、ＱＢ端子がＶｓｓにならず、誤動作を引き起こす。【００１４】
本発明は、動作不具合を生じることなく、フリップフロップ及びこれを用いたシフトレジスタの小型化を図ることを目的とする。
【課題を解決するための手段】
【００１５】
本発明のフリップフロップは、上記課題を解決するために、
Ｐチャネル型の第１トランジスタとＮチャネル型の第２トランジスタのゲート端子同士及びドレイン端子同士が互いに接続された第１ＣＭＯＳ回路と、Ｐチャネル型の第３トランジスタとＮチャネル型の第４トランジスタのゲート端子同士及びドレイン端子同士が互いに接続された第２ＣＭＯＳ回路と、複数の入力端子と、第１及び第２出力端子とを備え、上記第１ＣＭＯＳ回路のゲート側と上記第２ＣＭＯＳ回路のドレイン側と上記第１出力端子とが互いに接続されるとともに、上記第１ＣＭＯＳ回路のドレイン側と上記第２ＣＭＯＳ回路のゲート側と上記第２出力端子とが互いに接続されたフリップフロップであって、
ゲート端子が第１入力端子に接続され、ソース端子が第２入力端子に接続され、ドレイン端子が上記第１ＣＭＯＳ回路及び上記第２ＣＭＯＳ回路に接続された入力トランジスタと、
上記第１ＣＭＯＳ回路または上記第２ＣＭＯＳ回路に接続されるとともに、上記第１入力端子に入力される第１入力信号がアクティブになったときに、上記第２入力端子に電気的に接続される電源と、
上記第２入力端子と上記電源とが電気的に接続されたときの両者の間の電位を調整する調整回路と、を備えていることを特徴とする。【００１６】
本発明のフリップフロップでは、第２入力端子と電源とが電気的に接続されたときの両者の間の電位を調整する調整回路を備えている。そのため、調整回路として例えば抵抗を設けることにより（図１等参照）、上記電源側のトランジスタの駆動能力を低下させることができる。これにより、第２入力端子に接続される出力端子の電位が、第２入力端子に入力される入力信号の電位に近づくため、フリップフロップを適切に動作させることができる。また、上記の構成により、フリップフロップ及びこれを用いるシフトレジスタの小型化を実現することができる。
【発明の効果】
【００１７】
以上のように、本発明のフリップフロップは、上記第２入力端子と上記電源とが電気的に接続されたときの両者の間の電位を調整する調整回路を備えている構成である。これにより、動作不具合を生じることなく、フリップフロップ及びこれを用いるシフトレジスタの小型化を図ることができる。
【図面の簡単な説明】
【００１８】
【図１】（ａ）は実施の形態１に係るフリップフロップ回路の構成を示す回路図であり、（ｂ）は該フリップフロップ回路の動作を示すタイミングチャート（ＩＮＩＴ信号が非アクティブの場合）であり、（ｃ）は該フリップフロップ回路の真理値表（ＩＮＩＴ信号が非アクティブの場合）である。
【図２】（ａ）は図１の（ａ）の一変形例であるフリップフロップ回路の構成を示す回路図であり、（ｂ）は該フリップフロップ回路のＳ信号、Ｒ信号、Ｑ信号のタイミングチャートであり、（ｃ）は該フリップフロップ回路の真理値表（ＩＮＩＴＢ信号が非アクティブの場合）である。
【図３】（ａ）は実施の形態２に係るフリップフロップ回路の構成を示す回路図であり、（ｂ）は該フリップフロップ回路の動作を示すタイミングチャート（ＩＮＩＴＢ信号が非アクティブの場合）であり、（ｃ）は該フリップフロップ回路の真理値表（ＩＮＩＴＢ信号が非アクティブの場合）である。
【図４】（ａ）は図３の（ａ）の一変形例であるフリップフロップ回路の構成を示す回路図であり、（ｂ）は該フリップフロップ回路の動作を示すタイミングチャート（ＩＮＩＴＢ信号が非アクティブの場合）であり、（ｃ）は該フリップフロップ回路の真理値表（ＩＮＩＴＢ信号が非アクティブの場合）である。
【図５】（ａ）は実施の形態３に係るフリップフロップ回路の構成を示す回路図であり、（ｂ）は該フリップフロップ回路のＳ信号、Ｒ信号、Ｑ信号のタイミングチャートであり、（ｃ）は該フリップフロップ回路の真理値表（ＩＮＩＴＢ信号が非アクティブの場合）である。
【図６】（ａ）及び（ｂ）は、図５のフリップフロップ回路の変形例を示す回路図である。
【図７】図５のフリップフロップ回路の変形例を示す回路図である。
【図８】（ａ）は、図５の（ａ）の一変形例であるフリップフロップ回路の構成を示す回路図であり、（ｂ）は該フリップフロップ回路のＳＢ信号、ＲＢ信号、Ｑ信号のタイミングチャートであり、（ｃ）は該フリップフロップ回路の真理値表（ＩＮＩＴ信号が非アクティブの場合）である。
【図９】（ａ）は実施の形態４に係るフリップフロップ回路の構成を示す回路図であり、（ｂ）は該フリップフロップ回路のＳ信号、Ｒ信号、Ｑ信号のタイミングチャートであり、（ｃ）は該フリップフロップ回路の真理値表（ＩＮＩＴＢ信号が非アクティブの場合）である。
【図１０】（ａ）は図９の（ａ）の一変形例であるフリップフロップ回路の構成を示す回路図であり、（ｂ）は該フリップフロップ回路のＳＢ信号、ＲＢ信号、Ｑ信号のタイミングチャートであり、（ｃ）は該フリップフロップ回路の真理値表（ＩＮＩＴ信号が非アクティブの場合）である。
【図１１】（ａ）は実施の形態５に係るフリップフロップ回路の構成を示す回路図であり、（ｂ）は該フリップフロップ回路のＳ信号、Ｒ信号、Ｑ信号のタイミングチャートであり、（ｃ）は該フリップフロップ回路の真理値表（ＩＮＩＴＢ信号が非アクティブの場合）である。
【図１２】（ａ）は図１１の（ａ）の一変形例であるフリップフロップ回路の構成を示す回路図であり、（ｂ）は該フリップフロップ回路のＳＢ信号、ＲＢ信号、Ｑ信号のタイミングチャートであり、（ｃ）は該フリップフロップ回路の真理値表（ＩＮＩＴ信号が非アクティブの場合）である。
【図１３】（ａ）は実施の形態６に係るフリップフロップ回路の構成を示す回路図であり、（ｂ）は該フリップフロップ回路のＳ信号、Ｒ信号、Ｑ信号のタイミングチャートであり、（ｃ）は該フリップフロップ回路の真理値表（ＩＮＩＴＢ信号が非アクティブの場合）である。
【図１４】（ａ）は図１３の（ａ）の一変形例であるフリップフロップ回路の構成を示す回路図であり、（ｂ）は該フリップフロップ回路のＳＢ信号、ＲＢ信号、Ｑ信号のタイミングチャートであり、（ｃ）は該フリップフロップ回路の真理値表（ＩＮＩＴ信号が非アクティブの場合）である。
【図１５】本発明の液晶表示装置の概略構成を示すブロック図である。
【図１６】図１５の液晶表示装置の画素の電気的構成を示す等価回路図である。
【図１７】本液晶表示装置に係るシフトレジスタに含まれる単位回路の構成を示すブロック図である。
【図１８】本液晶表示装置に係るシフトレジスタに含まれる単位回路の回路図である。
【図１９】本液晶表示装置に係るシフトレジスタの動作時のタイミングチャートである。
【図２０】（ａ）は従来のフリップフロップ回路の構成を示す回路図であり、（ｂ）は該フリップフロップ回路の動作を示すタイミングチャート（ＩＮＩＴ信号が非アクティブの場合）であり、（ｃ）は該フリップフロップ回路の真理値表（ＩＮＩＴ信号が非アクティブの場合）である。
【図２１】（ａ）は従来のフリップフロップ回路の構成を示す回路図であり、（ｂ）は該フリップフロップ回路の動作を示すタイミングチャート（ＩＮＩＴ信号が非アクティブの場合）であり、（ｃ）は該フリップフロップ回路の真理値表（ＩＮＩＴ信号が非アクティブの場合）である。
【発明を実施するための形態】
【００１９】
本発明に係る実施の形態１について、以下に説明する。なお、以下では、セットリセット型フリップフロップ回路（フリップフロップ）のセット用端子（Ｓ端子またはＳＢ端子）（第１入力端子）にはセット用信号（Ｓ信号またはＳＢ信号）（第１入力信号）が入力され、リセット用端子（Ｒ端子またはＲＢ端子）（第２入力端子）にはリセット用信号（Ｒ信号またはＲＢ信号）（第２入力信号）が入力され、初期化用端子（ＩＮＩＴ端子またはＩＮＩＴＢ端子）（第３入力端子）には初期化用信号（ＩＮＩＴ信号またはＩＮＩＴＢ信号）が入力されるものとし、出力端子（Ｑ端子：第１出力端子）からはＱ信号が出力され、反転出力端子（ＱＢ端子：第２出力端子）からはＱＢ信号が出力されるものとする。なお、高電位側電源（ＶＤＤ）の電位をＶｄｄ（以下、適宜ハイレベルと記載）とし、低電位側電源（ＶＳＳ）の電位をＶｓｓ（以下、適宜ローレベルと記載）とする。Ｓ信号（セット信号）、Ｒ信号（リセット信号）、ＩＮＩＴ信号（イニシャル信号）及びＱ信号（出力信号）はアクティブ時にハイレベルとなる信号であり、ＳＢ信号（セットバー信号）、ＲＢ信号（リセットバー信号）、ＩＮＩＴＢ信号（イニシャルバー信号）及びＱＢ信号（反転出力信号）はアクティブ時にローレベルとなる信号である。
【００２０】
〔フリップフロップ回路の形態１〕
図１の（ａ）は、実施の形態１に係るフリップフロップ回路の構成を示す回路図である。同図に示すように、フリップフロップ回路１１ａは、ＣＭＯＳ回路を構成するＰチャネル型トランジスタＴｒ１２及びＮチャネル型トランジスタＴｒ１３と、ＣＭＯＳ回路を構成するＰチャネル型トランジスタＴｒ１４及びＮチャネル型トランジスタＴｒ１５と、Ｐチャネル型トランジスタＴｒ１９と、抵抗Ｒ３ａと、ＳＢ端子と、ＲＢ端子と、ＩＮＩＴ端子と、Ｑ端子と、ＱＢ端子とを備えている。
【００２１】
トランジスタＴｒ１２のゲート端子と、トランジスタＴｒ１３のゲート端子と、トランジスタＴｒ１４のドレイン端子と、トランジスタＴｒ１５のドレイン端子と、トランジスタＴｒ１９のドレイン端子と、Ｑ端子とが、接続されているとともに、トランジスタＴｒ１２のドレイン端子と、トランジスタＴｒ１３のドレイン端子と、トランジスタＴｒ１４のゲート端子と、トランジスタＴｒ１５のゲート端子と、ＱＢ端子とが、接続されている。ＳＢ端子がトランジスタＴｒ１９のゲート端子に接続され、ＲＢ端子がトランジスタＴｒ１９のソース端子とトランジスタＴｒ１４のソース端子とに接続され、ＩＮＩＴ端子がトランジスタＴｒ１３のソース端子に接続され、抵抗Ｒ３ａの一端がトランジスタＴｒ１５のソース端子に接続され、抵抗Ｒ３ａの他端が電源ＶＳＳに接続され、トランジスタＴｒ１２のソース端子が電源ＶＤＤに接続されている。
【００２２】
トランジスタＴｒ１２、Ｔｒ１３、Ｔｒ１４及びＴｒ１５がラッチ回路ＬＣを構成し、抵抗Ｒ３ａがラッチ調整回路ＲＣ（調整回路）を構成し、トランジスタＴｒ１６がセットトランジスタＳＴとして機能する。以下、ゲート端子（制御端子）に与えたときにトランジスタをオン状態にする電圧（信号のレベル）をオン電圧（オンレベル）といい、ゲート端子に与えたときにトランジスタをオフ状態にする電圧（信号のレベル）をオフ電圧（オフレベル）という。Ｎチャネル型トランジスタでは、ハイ電圧がオン電圧（ハイレベルがオンレベル）、ロー電圧がオフ電圧（ローレベルがオフレベル）になり、Ｐチャネル型トランジスタではその逆になる。
【００２３】
図１の（ｂ）は、フリップフロップ回路１１ａの動作を示すタイミングチャート（ＩＮＩＴ信号が非アクティブの場合）であり、図１の（ｃ）は、フリップフロップ回路１１ａの真理値表（ＩＮＩＴ信号が非アクティブの場合）である。
【００２４】
ＳＢ信号がアクティブ（ローレベル）でＲＢ信号が非アクティブ（ハイレベル）となる場合（期間ｔ１）のフリップフロップ回路１１ａの動作は以下のとおりである。
【００２５】
ＳＢ信号がアクティブ（ローレベル）になる以前にＱ信号がローレベルでＱＢ信号がハイレベルであった場合には、トランジスタＴｒ１９のドレイン端子と電源ＶＳＳとが短絡した状態になっている。ここで、ＳＢ信号が例えばＶｓｓよりも高い場合は、図２０に示す従来の構成では、トランジスタＴｒ１９が確実にオン状態にならない。この点、フリップフロップ回路１１ａは、トランジスタＴｒ１９のドレイン端子と電源ＶＳＳとの間に抵抗Ｒ３ａが設けられており、トランジスタＴｒ１５の駆動能力が低下するため、Ｓ信号が例えば電源電圧Ｖｓｓより高い場合でもＱ端子はＶｄｄ（ハイレベル）に近い電位（インバータの反転レベルよりも高い電位）まで上昇する。
【００２６】
Ｑ端子の電位がＶｄｄ近くになると、トランジスタＴｒ１３がオン状態になり、トランジスタＴｒ１２がオフ状態になる。これにより、ＩＮＩＴ信号がローレベル（非アクティブ）のためＱＢ信号はローレベルになる。ＱＢ端子はトランジスタＴｒ１４のゲート端子及びトランジスタＴｒ１５のゲート端子に接続されているため、ＱＢ信号がローレベルになると、トランジスタＴｒ１４がオン状態になりトランジスタＴｒ１５がオフ状態になる。これにより、Ｑ信号はハイレベル（Ｖｄｄ）になる。
【００２７】
ＳＢ信号が非アクティブ（ハイレベル）でＲＢ信号が非アクティブ（ハイレベル）となる場合（期間ｔ２）のフリップフロップ回路１１ａの動作は以下のとおりである。
【００２８】
ＳＢ信号が非アクティブ（ハイレベル）でＲＢ信号が非アクティブ（ハイレベル）になると、トランジスタＴｒ１９がオフ状態になり、ＳＢ信号が変化する前の状態が保持され、期間ｔ２は期間ｔ１の状態（Ｑ信号がハイレベルでＱＢ信号がローレベル）が保持される。
【００２９】
ＳＢ信号が非アクティブ（ハイレベル）でＲＢ信号がアクティブ（ローレベル）となる場合（期間ｔ３）のフリップフロップ回路１１ａの動作は以下のとおりである。
【００３０】
ＲＢ信号がアクティブ（ローレベル）になる前にＱ信号がハイレベルでＱＢ信号がローレベルであった場合には、トランジスタＴｒ１４がオン状態になっているため、ＲＢ端子がＱ端子に接続されている。ここでＲＢ信号がアクティブ（ローレベル）になると、トランジスタＴｒ１４は、Ｑ端子がＶｓｓ＋Ｖｔｈ（閾値）になるとオフし、Ｑ端子はＶＳＳ＋Ｖｔｈより下がらない。Ｑ端子はトランジスタＴｒ１２とトランジスタＴｒ１３のゲート端子に接続されているため、Ｑ端子がＶｓｓに近づくと、トランジスタＴｒ１２がオンしトランジスタＴｒ１３がオフする。トランジスタＴｒ１３の閾値がＶｔｈ以上である場合にはトランジスタＴｒ１３は完全にオフする。トランジスタＴｒ１２がオンすると、ＱＢ端子と電源ＶＤＤとが接続され、ＱＢ端子はＶｄｄになる。ＱＢ端子はトランジスタＴｒ１４、Ｔｒ１５のゲート端子に接続されているため、ＱＢ端子がＶｄｄになると、トランジスタＴｒ１４がオフし、Ｑ端子はＲＢ端子から切り離される。また、トランジスタＴｒ１５がオンするため、Ｑ端子は電源ＶＳＳに接続されＶｓｓになる。また、Ｑ端子がＶｓｓになると、トランジスタＴｒ１２がオンし、トランジスタＴｒ１３がオフするため、ＱＢ端子は電源ＶＤＤに接続されＶｄｄになる。
【００３１】
このように瞬間的には、Ｑ端子がＶｓｓ＋Ｖｔｈに移行しようとするものの、ラッチ回路ＬＣによって出力がフィードバックされて、安定したＶｓｓを出力することができる。
【００３２】
ＳＢ信号が非アクティブ（ハイレベル）でＲＢ信号が非アクティブ（ハイレベル）となる場合（期間ｔ４）のフリップフロップ回路１１ａは以下のとおりである。
【００３３】
ＳＢ信号が非アクティブ（ハイレベル）でＲＢ信号が非アクティブ（ハイレベル）になると、ラッチ回路ＬＣがＯＮになる。したがって、ＲＢ信号が変化する前の状態が保持され、期間ｔ４は期間ｔ３の状態（Ｑ信号がローレベルでＱＢ信号がハイレベル）が保持される。
【００３４】
このように、フリップフロップ回路１１ａでは、セット用信号（ＳＢ信号）がアクティブのときにリセット用信号（ＲＢ信号）の入力端子（ＲＢ）に電気的に接続される電源（ＶＳＳ）と、セットトランジスタＳＴ（トランジスタＴｒ１９）との間に抵抗Ｒ３ａが設けられているため、例えばＳＢ信号の電位レベル（ローレベル）がＶｓｓよりも高い場合や、セットトランジスタＳＴ（トランジスタＴｒ１９）の駆動能力がトランジスタＴｒ１５の駆動能力よりも低い場合であっても、Ｑ端子はＶｄｄ近くに上昇する。これにより、トランジスタＴｒ１３は正常にオンするため、Ｑ端子はＶｄｄになりＱＢ端子はＶｓｓになる。よって、従来の構成（図２０）において生じ得る誤動作を防ぐことができる。
【００３５】
（初期化動作）
ＩＮＩＴ信号がアクティブ（ハイレベル）となるとき（初期化時）のフリップフロップ回路１１ａの動作は以下のとおりである。
【００３６】
まず、ＩＮＩＴ信号がアクティブとなる以前にＱ信号がローレベルでＱＢ信号がハイレベルであった場合には、トランジスタＴｒ１３がオフしているため、ＩＮＩＴ信号がハイレベルになってもフリップフロップ回路１１ａの出力には影響しない（Ｑ信号はローレベル、ＱＢ信号はハイレベル）。ＩＮＩＴ信号がアクティブとなる以前にＱ信号がハイレベルでＱＢ信号がローレベルであった場合には、トランジスタＴｒ１３がオンしているため、ＱＢ端子の電位が、Ｖｄｄ−Ｖｔｈ（閾値電圧）まで上昇する。ＱＢ端子の電位がＶｄｄ近くになると、トランジスタＴｒ１５がオンする一方、トランジスタＴｒ１４がオフし（トランジスタＴｒ１４の閾値がＶｔｈ以上である場合にはトランジスタＴｒ１４は完全にオフする）、Ｑ端子は電源ＶＳＳに接続され、Ｑ信号はローレベル（Ｖｓｓ）となる。Ｑ端子はトランジスタＴｒ１２のゲート端子及びトランジスタＴｒ１３のゲート端子に接続されているため、Ｑ信号がローレベルになると、トランジスタＴｒ１３がオフしてトランジスタＴｒ１２がオンする。トランジスタＴｒ１２がオンすると、ＱＢ端子は電源ＶＤＤに接続され、ＱＢ信号はハイレベルとなる。なお、ＱＢ信号がハイレベルのときは、トランジスタＴｒ１５がオンでトランジスタＴｒ１４がオフであるため、Ｑ端子はＲＢ端子から切り離されて、ローレベル（Ｖｓｓ）を出力する。このようにＱＢ信号は、瞬間的にはＶｄｄ−Ｖｔｈに移行しようとするものの、ラッチ回路ＬＣによってＱ信号がフィードバックされて、ハイレベル（Ｖｄｄ）に安定する。以上の方法で初期化が可能である。
【００３７】
（変形例）
図２の（ａ）は、図１の（ａ）の一変形例であるフリップフロップ回路１１ｂの構成を示す回路図である。
【００３８】
同図に示すように、フリップフロップ回路１１ｂは、ＣＭＯＳ回路を構成するＰチャネル型トランジスタＴｒ１２及びＮチャネル型トランジスタＴｒ１３と、ＣＭＯＳ回路を構成するＰチャネル型トランジスタＴｒ１４及びＮチャネル型トランジスタＴｒ１５と、Ｎチャネル型トランジスタＴｒ１７と、抵抗Ｒ３ｂと、Ｓ端子と、Ｒ端子と、ＩＮＩＴＢ端子と、Ｑ端子と、ＱＢ端子とを備えている。
【００３９】
トランジスタＴｒ１２のゲート端子と、トランジスタＴｒ１３のゲート端子と、トランジスタＴｒ１４のドレイン端子と、トランジスタＴｒ１５のドレイン端子と、トランジスタＴｒ１７のドレイン端子と、ＱＢ端子とが、接続されているとともに、トランジスタＴｒ１２のドレイン端子と、トランジスタＴｒ１３のドレイン端子と、トランジスタＴｒ１４のゲート端子と、トランジスタＴｒ１５のゲート端子と、Ｑ端子とが、接続されている。Ｓ端子がトランジスタＴｒ１７のゲート端子に接続され、Ｒ端子がトランジスタＴｒ１７のソース端子とトランジスタＴｒ１５のソース端子とに接続され、ＩＮＩＴＢ端子がトランジスタＴｒ１２のソース端子に接続され、トランジスタＴｒ１４のソース端子が抵抗Ｒ３ｂの一端に接続され、抵抗Ｒ３ｂの他端が電源ＶＤＤに接続され、トランジスタＴｒ１３のソース端子が電源ＶＳＳに接続されている。
【００４０】
トランジスタＴｒ１２、Ｔｒ１３、Ｔｒ１４及びＴｒ１５がラッチ回路ＬＣを構成し、抵抗Ｒ３ｂがラッチ調整回路ＲＣ（調整回路）を構成し、トランジスタＴｒ１７がセットトランジスタＳＴ（入力トランジスタ）として機能する。
【００４１】
図２の（ｂ）は、フリップフロップ回路１１ｂのＳ信号、Ｒ信号、Ｑ信号のタイミングチャートであり、図２の（ｃ）はフリップフロップ回路１１ｂの真理値表（ＩＮＩＴＢ信号が非アクティブの場合）である。図２の（ｃ）に示されるように、フリップフロップ回路１１ｂのＱ信号は、Ｓ信号がローレベル（Ｌ：非アクティブ）かつＲ信号がローレベル（Ｌ：非アクティブ）の期間に保持状態、Ｓ信号がローレベル（Ｌ：非アクティブ）かつＲ信号がハイレベル（Ｈ：アクティブ）の期間にローレベル（Ｌ：非アクティブ）、Ｓ信号がハイレベル（Ｈ：アクティブ）かつＲ信号がローレベル（Ｌ：非アクティブ）の期間にハイレベル（Ｈ：アクティブ）、Ｓ信号がハイレベル（Ｈ：アクティブ）かつＲ信号がハイレベル（Ｈ：アクティブ）の期間にローレベル（Ｌ：非アクティブ）となる。
【００４２】
上記フリップフロップ回路１１ｂでは、セット用信号（Ｓ信号）がアクティブのときにリセット用信号（Ｒ信号）の入力端子（Ｒ）に電気的に接続される電源（ＶＤＤ）と、セットトランジスタＳＴ（トランジスタＴｒ１７）との間に抵抗Ｒ３ｂが設けられているため、例えばＳ信号の電位レベル（ハイレベル）がＶｄｄよりも低い場合や、セットトランジスタＳＴ（トランジスタＴｒ１７）の駆動能力がトランジスタＴｒ１４の駆動能力よりも低い場合であっても、ＱＢ端子はＶｓｓ近くに低下する。これにより、トランジスタＴｒ１２は正常にオンするため、Ｑ端子はＶｄｄになりＱＢ端子はＶｓｓになる。よって、従来の構成（図２１）において生じ得る誤動作を防ぐことができる。
【００４３】
〔フリップフロップ回路の形態２〕
図３の（ａ）は、実施の形態２に係るフリップフロップ回路の構成を示す回路図である。同図に示すように、フリップフロップ回路１２ａは、ＣＭＯＳ回路（第１ＣＭＯＳ回路）を構成するＰチャネル型トランジスタＴｒ１及びＮチャネル型トランジスタＴｒ２と、ＣＭＯＳ回路（第２ＣＭＯＳ回路）を構成するＰチャネル型トランジスタＴｒ３及びＮチャネル型トランジスタＴｒ４と、ＣＭＯＳ回路を構成するＰチャネル型トランジスタＴｒ５及びＮチャネル型トランジスタＴｒ６と、抵抗Ｒ１ａと、Ｓ端子と、Ｒ端子と、ＩＮＩＴＢ端子と、Ｑ端子と、ＱＢ端子とを備えている。
【００４４】
トランジスタＴｒ１のゲート端子と、トランジスタＴｒ２のゲート端子と、トランジスタＴｒ３のドレイン端子と、トランジスタＴｒ４のドレイン端子と、Ｑ端子とが、接続されているとともに、トランジスタＴｒ１のドレイン端子と、トランジスタＴｒ２のドレイン端子と、トランジスタＴｒ３のゲート端子と、トランジスタＴｒ４のゲート端子と、トランジスタＴｒ５のドレイン端子と、トランジスタＴｒ６のドレイン端子と、ＱＢ端子とが、接続されている。Ｓ端子がトランジスタＴｒ６のゲート端子に接続され、Ｒ端子がトランジスタＴｒ２のソース端子とトランジスタＴｒ６のソース端子とに接続され、ＩＮＩＴＢ端子がトランジスタＴｒ５のゲート端子に接続され、抵抗Ｒ１ａの一端がトランジスタＴｒ１のソース端子に接続され、抵抗Ｒ１ａの他端が電源ＶＤＤに接続され、トランジスタＴｒ３のソース端子が電源ＶＤＤに接続され、トランジスタＴｒ４のソース端子が電源ＶＳＳに接続され、トランジスタＴｒ５のソース端子が電源ＶＤＤに接続されている。トランジスタＴｒ１、Ｔｒ２、Ｔｒ３及びＴｒ４がラッチ回路ＬＣを構成し、抵抗Ｒ１ａがラッチ調整回路ＲＣ（調整回路）を構成し、トランジスタＴｒ６がセットトランジスタＳＴ（入力トランジスタ）として機能する。
【００４５】
図３の（ｂ）は、フリップフロップ回路１２ａの動作を示すタイミングチャート（ＩＮＩＴＢ信号が非アクティブの場合）であり、図３の（ｃ）はフリップフロップ回路１２ａの真理値表（ＩＮＩＴＢ信号が非アクティブの場合）である。
【００４６】
Ｓ信号がアクティブ（ハイレベル）でＲ信号が非アクティブ（ローレベル）となる場合（期間ｔ１）のフリップフロップ回路１２ａの動作は以下のとおりである。
【００４７】
Ｓ信号がアクティブ（ハイレベル）になる以前にＱ信号がローレベルでＱＢ信号がハイレベルであった場合には、トランジスタＴｒ６のドレイン端子と電源ＶＤＤとが短絡した状態になっている。ここで、トランジスタＴｒ６のドレイン端子と電源ＶＤＤとの間に抵抗Ｒ１ａが設けられており、トランジスタＴｒ１の駆動能力が低下するため、Ｓ信号が例えば電源電圧Ｖｄｄより低い場合でもＱＢ端子はＶｓｓ（ローレベル）に近い電位（インバータの反転レベルよりも低い電位）まで低下する。
【００４８】
ＱＢ端子の電位がＶｓｓ近くになると、トランジスタＴｒ３がオン状態になり、トランジスタＴｒ４がオフ状態になる。これにより、Ｑ信号はハイレベルになる。Ｑ端子はトランジスタＴｒ１のゲート端子及びトランジスタＴｒ２のゲート端子に接続されているため、Ｑ信号がハイレベルになると、トランジスタＴｒ１がオフ状態になりトランジスタＴｒ２がオン状態になる。トランジスタＴｒ２がオン状態になると、Ｒ信号はＶＳＳ（ローレベル）であるため、ＱＢ信号もローレベル（Ｖｓｓ）になる。なお、ＱＢ信号がローレベルのときは、トランジスタＴｒ３がオン状態でトランジスタＴｒ４がオフ状態であるため、Ｑ端子は電源ＶＳＳから切り離されて、ハイレベル（Ｖｄｄ）を出力する。
【００４９】
Ｓ信号が非アクティブ（ローレベル）でＲ信号が非アクティブ（ローレベル）となる場合（期間ｔ２）のフリップフロップ回路１２ａの動作は以下のとおりである。
【００５０】
Ｓ信号が非アクティブ（ローレベル）でＲ信号が非アクティブ（ローレベル）になると、トランジスタＴｒ６がオフ状態になり、Ｓ信号が変化する前の状態が保持され、期間ｔ２は期間ｔ１の状態（Ｑ信号がハイレベルでＱＢ信号がローレベル）が保持される。
【００５１】
Ｓ信号が非アクティブ（ローレベル）でＲ信号がアクティブ（ハイレベル）となる場合（期間ｔ３）のフリップフロップ回路１２ａの動作は以下のとおりである。
【００５２】
Ｒ信号がアクティブ（ハイレベル）になる前にＱ信号がハイレベルでＱＢ信号がローレベルであった場合には、トランジスタＴｒ２がオン状態になっているため、ＱＢ端子は、Ｖｄｄ（ハイレベル）に近い電位（インバータの反転レベルよりも高い電位）まで上昇する。
【００５３】
ＱＢ端子の電位がＶｄｄ近くになると、トランジスタＴｒ３がオフ状態になり、トランジスタＴｒ４がオン状態になる。これにより、Ｑ信号はローレベルになる。Ｑ端子はトランジスタＴｒ１のゲート端子及びトランジスタＴｒ２のゲート端子に接続されているため、Ｑ信号がローレベルになると、トランジスタＴｒ１がオン状態になりトランジスタＴｒ２がオフ状態になる。トランジスタＴｒ１がオン状態になることにより、ＱＢ信号がハイレベル（Ｖｄｄ）になる。なお、ＱＢ信号がハイレベルのときは、トランジスタＴｒ３がオフ状態でトランジスタＴｒ４がオン状態であるため、Ｑ端子は電源ＶＤＤから切り離されて、ローレベル（Ｖｓｓ）を出力する。
【００５４】
Ｓ信号が非アクティブ（ローレベル）でＲ信号が非アクティブ（ローレベル）となる場合（期間ｔ４）のフリップフロップ回路１２ａは以下のとおりである。Ｓ信号が非アクティブ（ローレベル）でＲ信号が非アクティブ（ローレベル）になると、ラッチ回路ＬＣがオンになる。したがって、Ｒ信号が変化する前の状態が保持され、期間ｔ４は期間ｔ３の状態（Ｑ信号がローレベルでＱＢ信号がハイレベル）が保持される。
【００５５】
このように、フリップフロップ回路１２ａでは、セット用信号（Ｓ信号）がアクティブのときにリセット用信号（Ｒ信号）の入力端子（Ｒ）に電気的に接続される電源（ＶＤＤ）と、セットトランジスタＳＴ（トランジスタＴｒ６）との間に抵抗Ｒ１ａが設けられているため、例えばＳ信号の電位レベル（ハイレベル）がＶｄｄよりも低い場合や、セットトランジスタＳＴ（トランジスタＴｒ６）の駆動能力がトランジスタＴｒ１の駆動能力よりも低い場合であっても、ＱＢ端子はＶｓｓ近くに低下する。これにより、トランジスタＴｒ３が正常にオンするため、Ｑ端子はＶｄｄになりＱＢ端子はＶｓｓになる。よって、入力信号の電位レベルやトランジスタ特性に起因する誤動作を防ぐことができる。
【００５６】
（初期化動作）
Ｓ信号及びＲ信号が非アクティブ（ローレベル）の状態で、ＩＮＩＴＢ信号がアクティブ（ローレベル）となるとき（初期化時）のフリップフロップ回路１２ａの動作は以下のとおりである。
【００５７】
まず、ＩＮＩＴＢ信号がアクティブとなる以前にＱ信号がローレベルでＱＢ信号がハイレベルであった場合には、ＩＮＩＴＢ信号がアクティブ（ローレベル）になると電源ＶＤＤとＱＢ端子とが接続されるため、フリップフロップ回路１１ａの出力には影響しない（Ｑ信号はローレベル、ＱＢ信号はハイレベル）。ＩＮＩＴＢ信号がアクティブとなる以前にＱ信号がハイレベルでＱＢ信号がローレベルであった場合には、ＩＮＩＴＢ信号がアクティブ（ローレベル）になることにより、ＱＢ端子の電位がＶｄｄまで上昇する。ＱＢ端子の電位がＶｄｄ近くになると、トランジスタＴｒ４がオンする一方、トランジスタＴｒ３がオフし（トランジスタＴｒ３の閾値がＶｔｈ以上である場合にはトランジスタＴｒ３は完全にオフする）、Ｑ端子は電源ＶＳＳに接続され、Ｑ信号はローレベル（Ｖｓｓ）となる。Ｑ端子はトランジスタＴｒ１のゲート端子及びトランジスタＴｒ２のゲート端子に接続されているため、Ｑ信号がローレベルになると、トランジスタＴｒ２がオフしてトランジスタＴｒ１がオンする。トランジスタＴｒ１がオンすると、ＱＢ端子は電源ＶＤＤに接続され、ＱＢ信号はハイレベルとなる。なお、ＱＢ信号がハイレベルのときは、トランジスタＴｒ４がオンでトランジスタＴｒ３がオフであるため、Ｑ端子は電源ＶＤＤから切り離されて、ローレベル（Ｖｓｓ）を出力する。以上の方法により初期化が可能である。
【００５８】
（変形例）
図４の（ａ）は、図３の（ａ）の一変形例であるフリップフロップ回路１２ｂの構成を示す回路図である。図４の（ａ）に示すように、フリップフロップ回路１２ｂは、ＣＭＯＳ回路（第１ＣＭＯＳ回路）を構成するＰチャネル型トランジスタＴｒ１及びＮチャネル型トランジスタＴｒ２と、ＣＭＯＳ回路（第２ＣＭＯＳ回路）を構成するＰチャネル型トランジスタＴｒ３及びＮチャネル型トランジスタＴｒ４と、ＣＭＯＳ回路を構成するＰチャネル型トランジスタＴｒ５及びＮチャネル型トランジスタＴｒ６と、抵抗Ｒ１ｂと、ＳＢ端子と、ＲＢ端子と、ＩＮＩＴ端子と、Ｑ端子と、ＱＢ端子とを備えている。
【００５９】
トランジスタＴｒ１のゲート端子と、トランジスタＴｒ２のゲート端子と、トランジスタＴｒ３のドレイン端子と、トランジスタＴｒ４のドレイン端子と、ＱＢ端子とが、接続されているとともに、トランジスタＴｒ１のドレイン端子と、トランジスタＴｒ２のドレイン端子と、トランジスタＴｒ３のゲート端子と、トランジスタＴｒ４のゲート端子と、トランジスタＴｒ５のドレイン端子と、トランジスタＴｒ６のドレイン端子と、Ｑ端子とが、接続されている。ＳＢ端子がトランジスタＴｒ５のゲート端子に接続され、ＲＢ端子がトランジスタＴｒ１のソース端子とトランジスタＴｒ５のソース端子とに接続され、ＩＮＩＴ端子がトランジスタＴｒ６のゲート端子に接続され、抵抗Ｒ１ｂの一端がトランジスタＴｒ２のソース端子に接続され、抵抗Ｒ１ｂの他端が電源ＶＳＳに接続され、トランジスタＴｒ３のソース端子が電源ＶＤＤに接続され、トランジスタＴｒ４のソース端子が電源ＶＳＳに接続され、トランジスタＴｒ６のソース端子が電源ＶＳＳに接続されている。
【００６０】
トランジスタＴｒ１、Ｔｒ２、Ｔｒ３及びＴｒ４がラッチ回路ＬＣを構成し、抵抗Ｒ１ｂがラッチ調整回路ＲＣ（調整回路）を構成し、トランジスタＴｒ５がセットトランジスタＳＴ（入力トランジスタ）として機能する。
【００６１】
図４の（ｂ）はフリップフロップ回路１２ｂの動作を示すタイミングチャート（ＩＮＩＴＢ信号が非アクティブの場合）であり、図４の（ｃ）はフリップフロップ回路１２ｂの真理値表（ＩＮＩＴＢ信号が非アクティブの場合）である。図４の（ｂ）及び（ｃ）に示されるように、フリップフロップ回路１２ｂのＱ信号は、ＳＢ信号がローレベル（Ｌ：アクティブ）かつＲＢ信号がローレベル（Ｌ：アクティブ）の期間に（Ｌ：非アクティブ）、ＳＢ信号がローレベル（Ｌ：アクティブ）かつＲＢ信号がハイレベル（Ｈ：非アクティブ）の期間にハイレベル（Ｈ：アクティブ）、ＳＢ信号がハイレベル（Ｈ：非アクティブ）かつＲＢ信号がローレベル（Ｌ：アクティブ）の期間にローレベル（Ｌ：非アクティブ）、ＳＢ信号がハイレベル（Ｈ：非アクティブ）かつＲＢ信号がハイレベル（Ｈ：非アクティブ）の期間に保持状態となる。
【００６２】
〔フリップフロップ回路の形態３〕
図５の（ａ）は、実施の形態３に係るフリップフロップ回路の構成を示す回路図である。同図に示すように、フリップフロップ回路１３ａは、ＣＭＯＳ回路（第１ＣＭＯＳ回路）を構成するＰチャネル型トランジスタＴｒ１２及びＮチャネル型トランジスタＴｒ１３と、ＣＭＯＳ回路（第２ＣＭＯＳ回路）を構成するＰチャネル型トランジスタＴｒ１４及びＮチャネル型トランジスタＴｒ１５と、Ｐチャネル型トランジスタＴｒ１６と、Ｎチャネル型トランジスタＴｒ１７と、抵抗Ｒ２ａと、Ｓ端子と、Ｒ端子と、ＩＮＩＴＢ端子と、Ｑ端子と、ＱＢ端子とを備えている。
【００６３】
トランジスタＴｒ１２のゲート端子と、トランジスタＴｒ１３のゲート端子と、トランジスタＴｒ１４のドレイン端子と、トランジスタＴｒ１５のドレイン端子と、トランジスタＴｒ１６のドレイン端子と、トランジスタＴｒ１７のドレイン端子と、ＱＢ端子とが、接続されているとともに、トランジスタＴｒ１２のドレイン端子と、トランジスタＴｒ１３のドレイン端子と、トランジスタＴｒ１４のゲート端子と、トランジスタＴｒ１５のゲート端子と、Ｑ端子とが、接続されている。Ｓ端子がトランジスタＴｒ１７のゲート端子に接続され、Ｒ端子がトランジスタＴｒ１７のソース端子とトランジスタＴｒ１５のソース端子とに接続され、ＩＮＩＴＢ端子がトランジスタＴｒ１６のゲート端子に接続され、抵抗Ｒ２ａの一端がトランジスタＴｒ１４のソース端子に接続され、抵抗Ｒ２ａの他端が電源ＶＤＤに接続され、トランジスタＴｒ１３のソース端子が電源ＶＳＳに接続され、トランジスタＴｒ１２のソース端子が電源ＶＤＤに接続され、トランジスタＴｒ１６のソース端子が電源ＶＤＤに接続されている。
【００６４】
トランジスタＴｒ１２、Ｔｒ１３、Ｔｒ１４及びＴｒ１５がラッチ回路ＬＣを構成し、抵抗Ｒ２ａがラッチ調整回路ＲＣ（調整回路）を構成し、トランジスタＴｒ１７がセットトランジスタＳＴとして機能する。
【００６５】
図５の（ｂ）は、フリップフロップ回路１３ａのＳ信号、Ｒ信号、Ｑ信号のタイミングチャートであり、図５の（ｃ）は、フリップフロップ回路１３ａの真理値表（ＩＮＩＴＢ信号が非アクティブの場合）である。
【００６６】
Ｓ信号がアクティブ（ハイレベル）でＲ信号が非アクティブ（ローレベル）となる場合（期間ｔ１）のフリップフロップ回路１３ａの動作は以下のとおりである。
【００６７】
Ｓ信号がアクティブ（ハイレベル）になる以前にＱ信号がローレベルでＱＢ信号がハイレベルであった場合には、トランジスタＴｒ１７のドレイン端子と、トランジスタＴｒ１４のソース端子に入力されるＶｄｄの電源ＶＤＤとが短絡した状態になっている。ここで、トランジスタＴｒ１７のドレイン端子と電源ＶＤＤとの間に抵抗Ｒ２ａが設けられており、トランジスタＴｒ１４の駆動能力が低下するため、Ｓ信号が例えば電源電圧Ｖｄｄより低い場合でもＱＢ端子はＶｓｓ（ローレベル）に近い電位（インバータの反転レベルよりも低い電位）まで低下する。
【００６８】
ＱＢ端子の電位がＶＳＳ近くになると、トランジスタＴｒ１２がオン状態になり、トランジスタＴｒ１３がオフ状態になる。これにより、Ｑ信号はハイレベルになる。Ｑ端子はトランジスタＴｒ１４のゲート端子及びトランジスタＴｒ１５のゲート端子に接続されているため、Ｑ信号がハイレベルになると、トランジスタＴｒ１４がオフ状態になりトランジスタＴｒ１５がオン状態になる。トランジスタＴｒ１５がオン状態になると、Ｒ信号はＶＳＳ（ローレベル）であるため、ＱＢ信号もローレベル（Ｖｓｓ）になる。なお、ＱＢ信号がローレベルのときは、トランジスタＴｒ１２がオン状態でトランジスタＴｒ１３がオフ状態であるため、Ｑ端子はＶＳＳから切り離されて、ハイレベル（Ｖｄｄ）を出力する。
【００６９】
Ｓ信号が非アクティブ（ローレベル）でＲ信号が非アクティブ（ローレベル）となる場合（期間ｔ２）のフリップフロップ回路１３ａの動作は以下のとおりである。
【００７０】
Ｓ信号が非アクティブ（ローレベル）でＲ信号が非アクティブ（ローレベル）になると、トランジスタＴｒ１７がオフ状態になり、したがって、Ｓ信号が変化する前の状態が保持され、期間ｔ２は期間ｔ１の状態（Ｑ信号がハイレベルでＱＢ信号がローレベル）が保持される。
【００７１】
Ｓ信号が非アクティブ（ローレベル）でＲ信号がアクティブ（ハイレベル）となる場合（期間ｔ３）のフリップフロップ回路１３ａの動作は以下のとおりである。Ｒ信号がアクティブ（ハイレベル）になる以前にＱ信号がハイレベルでＱＢ信号がローレベルであった場合には、トランジスタＴｒ１５がオン状態になっているため、ＱＢ端子は、Ｖｄｄ（ハイレベル）に近い電位（インバータの反転レベルよりも高い電位）まで上昇する。
【００７２】
ＱＢ端子の電位がＶｄｄ近くになると、トランジスタＴｒ１２がオフ状態になり、トランジスタＴｒ１３がオン状態になる。これにより、Ｑ信号はローレベルになる。Ｑ端子はトランジスタＴｒ１４のゲート端子及びトランジスタＴｒ１５のゲート端子に接続されているため、Ｑ信号がローレベルになると、トランジスタＴｒ１４がオン状態になりトランジスタＴｒ１５がオフ状態になる。トランジスタＴｒ１４がオン状態になることにより、ＱＢ信号がハイレベル（Ｖｄｄ）になる。なお、ＱＢ信号がハイレベルのときは、トランジスタＴｒ１２がオフ状態でトランジスタＴｒ１３がオン状態であるため、Ｑ端子は電源ＶＤＤから切り離されて、ローレベル（Ｖｓｓ）を出力する。
【００７３】
Ｓ信号が非アクティブ（ローレベル）でＲ信号が非アクティブ（ローレベル）となる場合（期間ｔ４）のフリップフロップ回路１３ａは以下のとおりである。
【００７４】
Ｓ信号が非アクティブ（ローレベル）でＲ信号が非アクティブ（ローレベル）になると、ラッチ回路ＬＣがオンになる。したがって、Ｒ信号が変化する前の状態が保持され、期間ｔ４は期間ｔ３の状態（Ｑ信号がローレベルでＱＢ信号がハイレベル）が保持される。
【００７５】
ここで、抵抗Ｒ２ａが設けられる位置は図５の（ａ）に限定されない。トランジスタＴｒ１４のドレイン端子と、トランジスタＴｒ１５のドレイン端子と、ＱＢ端子との接続点（第１接続点）をノードｎ１０とし、トランジスタＴｒ１７のドレイン端子と、トランジスタＴｒ１２のゲート端子と、トランジスタＴｒ１３のゲート端子との接続点（第２接続点）をノードｎ２０とすると、抵抗Ｒ２ａは、図６の（ａ）に示すように、トランジスタＴｒ１４のドレイン端子とノードｎ１０との間に設けられていてもよく、また、図６の（ｂ）に示すように、ノードｎ１０とｎ２０との間に設けられていてもよい。すなわち、抵抗Ｒ２ａは、電源ＶＤＤとノードｎ２０との間に設けられていればよい。さらに、図７に示すように、抵抗Ｒ２ａを省略して、トランジスタＴｒ１４のチャネル長Ｌを長く、またはトランジスタＴｒ１４のチャネル幅Ｗを小さくしても良い。この場合、トランジスタＴｒ１４がラッチ調整回路ＲＣ（調整回路）を構成する。図６及び図７の構成でも、トランジスタＴｒ１４の駆動能力を低下させることができるため、上記と同様の効果が得られる。
【００７６】
（変形例）
図８の（ａ）は、図５の（ａ）の一変形例であるフリップフロップ回路１３ｂの構成を示す回路図である。同図に示すように、フリップフロップ回路１３ｂは、ＣＭＯＳ回路を構成するＰチャネル型トランジスタＴｒ１２及びＮチャネル型トランジスタＴｒ１３と、ＣＭＯＳ回路を構成するＰチャネル型トランジスタＴｒ１４及びＮチャネル型トランジスタＴｒ１５と、Ｎチャネル型トランジスタＴｒ１８と、Ｐチャネル型トランジスタＴｒ１９と、抵抗Ｒ２ｂ（調整回路）と、ＳＢ端子と、ＲＢ端子と、ＩＮＩＴ端子と、Ｑ端子と、ＱＢ端子とを備えている。
【００７７】
トランジスタＴｒ１２、Ｔｒ１３のゲート端子同士と、トランジスタＴｒ１４、Ｔｒ１５のドレイン端子同士と、トランジスタＴｒ１８のドレイン端子と、トランジスタＴｒ１９のドレイン端子と、Ｑ端子とが互いに接続されている。トランジスタＴｒ１２、Ｔｒ１３のドレイン端子同士と、トランジスタＴｒ１４、Ｔｒ１５のゲート端子同士と、ＱＢ端子とが互いに接続されている。トランジスタＴｒ１８のゲート端子はＩＮＩＴ端子に接続され、ソース端子は電源ＶＳＳに接続されている。トランジスタＴｒ１９のゲート端子はＳＢ端子に接続され、ソース端子はＲＢ端子に接続されている。トランジスタＴｒ１４のソース端子がＲＢ端子に接続され、抵抗Ｒ２ｂは一端が電源ＶＳＳに接続され、他端がトランジスタＴｒ１５のソース端子に接続されている。
【００７８】
トランジスタＴｒ１２、Ｔｒ１３、Ｔｒ１４及びＴｒ１５がラッチ回路ＬＣを構成し、抵抗Ｒ２ｂがラッチ調整回路ＲＣ（調整回路）を構成し、トランジスタＴｒ１９がセットトランジスタＳＴ（入力トランジスタ）として機能する。
【００７９】
図８の（ｂ）は、フリップフロップ回路１３ｂのＳＢ信号、ＲＢ信号、Ｑ信号のタイミングチャートであり、図８の（ｃ）は、フリップフロップ回路１３ｂの真理値表（ＩＮＩＴ信号が非アクティブの場合）である。図８の（ｃ）に示されるように、フリップフロップ回路１３ｂのＱ信号は、ＳＢ信号がローレベル（Ｌ：アクティブ）かつＲＢ信号がローレベル（Ｌ：アクティブ）の期間にローレベル（Ｌ：非アクティブ）、ＳＢ信号がローレベル（Ｌ：アクティブ）かつＲＢ信号がハイレベル（Ｈ：非アクティブ）の期間にハイレベル（Ｈ：アクティブ）、ＳＢ信号がハイレベル（Ｈ：非アクティブ）かつＲＢ信号がローレベル（Ｌ：アクティブ）の期間にローレベル（Ｌ：非アクティブ）、ＳＢ信号がハイレベル（Ｈ：非アクティブ）かつＲＢ信号がハイレベル（Ｈ：非アクティブ）の期間に保持状態となる。
【００８０】
〔フリップフロップ回路の形態４〕
図９の（ａ）は、実施の形態４に係るフリップフロップ回路の構成を示す回路図である。同図に示すように、フリップフロップ回路１４ａは、ＣＭＯＳ回路を構成するＰチャネル型トランジスタＴｒ１２及びＮチャネル型トランジスタＴｒ１３と、ＣＭＯＳ回路を構成するＰチャネル型トランジスタＴｒ１４及びＮチャネル型トランジスタＴｒ１５と、Ｎチャネル型トランジスタＴｒ１７及びＴｒ２０と、抵抗Ｒ２ａ及びＲ４ａと、Ｓ端子と、Ｒ端子と、ＩＮＩＴ端子と、Ｑ端子と、ＱＢ端子とを備えている。
【００８１】
トランジスタＴｒ１２、Ｔｒ１３のゲート端子同士と、トランジスタＴｒ１４、Ｔｒ１５のドレイン端子同士と、トランジスタＴｒ１７のドレイン端子と、ＱＢ端子とが互いに接続されている。トランジスタＴｒ１２、Ｔｒ１３のドレイン端子同士と、トランジスタＴｒ１４、Ｔｒ１５のゲート端子同士と、トランジスタＴｒ２０のドレイン端子と、Ｑ端子とが互いに接続されている。トランジスタＴｒ２０のゲート端子はＲ端子に接続され、ソース端子は電源ＶＳＳに接続されている。トランジスタＴｒ１５のソース端子がＩＮＩＴ端子に接続されている。抵抗Ｒ２ａは一端が電源ＶＤＤに接続され、他端がトランジスタＴｒ１４のソース端子に接続され、抵抗Ｒ４ａは一端が電源ＶＤＤに接続され、他端がトランジスタＴｒ１２のソース端子に接続されている。
【００８２】
トランジスタＴｒ１２、Ｔｒ１３、Ｔｒ１４及びＴｒ１５がラッチ回路ＬＣを構成し、抵抗Ｒ２ａ、Ｒ４ａがラッチ調整回路ＲＣ（調整回路）を構成し、トランジスタＴｒ１７がセットトランジスタＳＴとして機能し、トランジスタＴｒ２０がリセットトランジスタＲＴ（入力トランジスタ）として機能する。
【００８３】
図９の（ｂ）は、フリップフロップ回路１４ａのＳ信号、Ｒ信号、Ｑ信号のタイミングチャートであり、図９の（ｃ）はフリップフロップ回路１４ａの真理値表（ＩＮＩＴＢ信号が非アクティブの場合）である。図９の（ｃ）に示されるように、フリップフロップ回路１４ａのＱ信号は、Ｓ信号がローレベル（Ｌ：非アクティブ）かつＲ信号がローレベル（Ｌ：非アクティブ）の期間に保持状態、Ｓ信号がローレベル（Ｌ：非アクティブ）かつＲ信号がハイレベル（Ｈ：アクティブ）の期間にローレベル（Ｌ：非アクティブ）、Ｓ信号がハイレベル（Ｈ：アクティブ）かつＲ信号がローレベル（Ｌ：非アクティブ）の期間にハイレベル（Ｈ：アクティブ）、Ｓ信号がハイレベル（Ｈ：アクティブ）かつＲ信号がハイレベル（Ｈ：アクティブ）の期間にローレベル（Ｌ：非アクティブ）となる。
【００８４】
（変形例）
図１０の（ａ）は、図９の（ａ）の一変形例であるフリップフロップ回路１４ｂの構成を示す回路図である。図１０の（ａ）に示すように、フリップフロップ回路１４ｂは、ＣＭＯＳ回路を構成するＰチャネル型トランジスタＴｒ１２及びＮチャネル型トランジスタＴｒ１３と、ＣＭＯＳ回路を構成するＰチャネル型トランジスタＴｒ１４及びＮチャネル型トランジスタＴｒ１５と、Ｐチャネル型トランジスタＴｒ１９及びＴｒ２１と、抵抗Ｒ２ｂ及びＲ４ｂと、ＳＢ端子と、ＲＢ端子と、ＩＮＩＴＢ端子と、Ｑ端子と、ＱＢ端子とを備えている。
【００８５】
トランジスタＴｒ１２、Ｔｒ１３のゲート端子同士と、トランジスタＴｒ１４、Ｔｒ１５のドレイン端子同士と、トランジスタＴｒ２１のドレイン端子と、ＱＢ端子とが互いに接続され、トランジスタＴｒ１２、Ｔｒ１３のドレイン端子同士と、トランジスタＴｒ１４、Ｔｒ１５のゲート端子同士と、トランジスタＴｒ１９のドレイン端子と、Ｑ端子とが互いに接続されている。トランジスタＴｒ１９のゲート端子はＳＢ端子に接続され、ソース端子はＲＢ端子に接続されている。トランジスタＴｒ２１のゲート端子はＲＢ端子に接続され、ソース端子は電源ＶＤＤに接続されている。トランジスタＴｒ１２のソース端子がＩＮＩＴＢ端子に接続されている。抵抗Ｒ２ｂは一端が電源ＶＳＳに接続され、他端がトランジスタＴｒ１５のソース端子に接続され、抵抗Ｒ４ｂは一端が電源ＶＳＳに接続され、他端がトランジスタＴｒ１３のソース端子に接続されている。
【００８６】
トランジスタＴｒ１２、Ｔｒ１３、Ｔｒ１４及びＴｒ１５がラッチ回路ＬＣを構成し、抵抗Ｒ２ｂ、Ｒ４ｂがラッチ調整回路ＲＣ（調整回路）を構成し、トランジスタＴｒ１９がセットトランジスタＳＴとして機能し、トランジスタＴｒ２１がリセットトランジスタＲＴ（入力トランジスタ）として機能する。
【００８７】
図１０の（ｂ）は、フリップフロップ回路１４ｂのＳＢ信号、ＲＢ信号、Ｑ信号のタイミングチャートであり、図１０の（ｃ）はフリップフロップ回路１４ｂの真理値表（ＩＮＩＴ信号が非アクティブの場合）である。図１０の（ｃ）に示されるように、フリップフロップ回路１４ｂのＱ信号は、ＳＢ信号がローレベル（Ｌ：アクティブ）かつＲＢ信号がローレベル（Ｌ：アクティブ）の期間にローレベル（Ｌ：非アクティブ）、ＳＢ信号がローレベル（Ｌ：アクティブ）かつＲＢ信号がハイレベル（Ｈ：非アクティブ）の期間にハイレベル（Ｈ：アクティブ）、ＳＢ信号がハイレベル（Ｈ：非アクティブ）かつＲＢ信号がローレベル（Ｌ：アクティブ）の期間にローレベル（Ｌ：非アクティブ）、ＳＢ信号がハイレベル（Ｈ：非アクティブ）かつＲＢ信号がハイレベル（Ｈ：非アクティブ）の期間に保持状態となる。
【００８８】
〔フリップフロップ回路の形態５〕
図１１の（ａ）は、実施の形態５に係るフリップフロップ回路の構成を示す回路図である。同図に示すように、フリップフロップ回路１５ａは、ＣＭＯＳ回路を構成するＰチャネル型トランジスタＴｒ１２及びＮチャネル型トランジスタＴｒ１３と、ＣＭＯＳ回路を構成するＰチャネル型トランジスタＴｒ１４及びＮチャネル型トランジスタＴｒ１５と、Ｎチャネル型トランジスタＴｒ２０と、抵抗Ｒ４ａと、Ｓ端子と、Ｒ端子と、ＩＮＩＴ端子と、Ｑ端子と、ＱＢ端子とを備えている。
【００８９】
トランジスタＴｒ１２、Ｔｒ１３のゲート端子同士と、トランジスタＴｒ１４、Ｔｒ１５のドレイン端子同士と、ＱＢ端子とが互いに接続されている。トランジスタＴｒ１２、Ｔｒ１３のドレイン端子同士と、トランジスタＴｒ１４、Ｔｒ１５のゲート端子同士と、トランジスタＴｒ２０のドレイン端子と、Ｑ端子とが互いに接続されている。Ｓ端子がトランジスタＴｒ１３のソース端子及びトランジスタＴｒ２０のソース端子に接続され、Ｒ端子がトランジスタＴｒ２０のゲート端子に接続されている。トランジスタＴｒ１５のソース端子がＩＮＩＴ端子に接続され、抵抗Ｒ４ａは一端が電源ＶＤＤに接続され、他端がトランジスタＴｒ１２のソース端子に接続されている。
【００９０】
トランジスタＴｒ１２、Ｔｒ１３、Ｔｒ１４及びＴｒ１５がラッチ回路ＬＣを構成し、抵抗Ｒ４ａがラッチ調整回路ＲＣ（調整回路）を構成し、トランジスタＴｒ２０がリセットトランジスタＲＴとして機能する。
【００９１】
図１１の（ｂ）は、フリップフロップ回路１５ａのＳ信号、Ｒ信号、Ｑ信号のタイミングチャートであり、図１１の（ｃ）はフリップフロップ回路１５ａの真理値表（ＩＮＩＴＢ信号が非アクティブの場合）である。図１１の（ｃ）に示されるように、フリップフロップ回路１５ａのＱ信号は、Ｓ信号がローレベル（Ｌ：非アクティブ）かつＲ信号がローレベル（Ｌ：非アクティブ）の期間に保持状態、Ｓ信号がローレベル（Ｌ：非アクティブ）かつＲ信号がハイレベル（Ｈ：アクティブ）の期間にローレベル（Ｌ：非アクティブ）、Ｓ信号がハイレベル（Ｈ：アクティブ）かつＲ信号がローレベル（Ｌ：非アクティブ）の期間にハイレベル（Ｈ：アクティブ）、Ｓ信号がハイレベル（Ｈ：アクティブ）かつＲ信号がハイレベル（Ｈ：アクティブ）の期間にハイレベル（Ｈ：アクティブ）となる。
【００９２】
（変形例）
図１２の（ａ）は、図１１の（ａ）の一変形例であるフリップフロップ回路１５ｂの構成を示す回路図である。図１２の（ａ）に示すように、フリップフロップ回路１５ｂは、ＣＭＯＳ回路を構成するＰチャネル型トランジスタＴｒ１２及びＮチャネル型トランジスタＴｒ１３と、ＣＭＯＳ回路を構成するＰチャネル型トランジスタＴｒ１４及びＮチャネル型トランジスタＴｒ１５と、Ｐチャネル型トランジスタＴｒ２１と、抵抗Ｒ２ｂと、ＳＢ端子と、ＲＢ端子と、ＩＮＩＴＢ端子と、Ｑ端子と、ＱＢ端子とを備えている。
【００９３】
トランジスタＴｒ１２、Ｔｒ１３のゲート端子同士と、トランジスタＴｒ１４、Ｔｒ１５のドレイン端子同士と、トランジスタＴｒ２１のドレイン端子と、ＱＢ端子とが互いに接続され、トランジスタＴｒ１２、Ｔｒ１３のドレイン端子同士と、トランジスタＴｒ１４、Ｔｒ１５のゲート端子同士と、Ｑ端子とが互いに接続されている。ＳＢ端子がトランジスタＴｒ１４のソース端子及びトランジスタＴｒ２１のソース端子に接続され、ＲＢ端子がトランジスタＴｒ２１のゲート端子に接続されている。トランジスタＴｒ１２のソース端子がＩＮＩＴＢ端子に接続されている。抵抗Ｒ２ｂは一端が電源ＶＳＳに接続され、他端がトランジスタＴｒ１５のソース端子に接続されている。
【００９４】
トランジスタＴｒ１２、Ｔｒ１３、Ｔｒ１４及びＴｒ１５がラッチ回路ＬＣを構成し、抵抗Ｒ２ｂがラッチ調整回路ＲＣ（調整回路）を構成し、トランジスタＴｒ２１がリセットトランジスタＲＴとして機能する。
【００９５】
図１２の（ｂ）は、フリップフロップ回路１５ｂのＳＢ信号、ＲＢ信号、Ｑ信号のタイミングチャートであり、図１２の（ｃ）はフリップフロップ回路１５ｂの真理値表（ＩＮＩＴ信号が非アクティブの場合）である。図１２の（ｃ）に示されるように、フリップフロップ回路１５ｂのＱ信号は、ＳＢ信号がローレベル（Ｌ：アクティブ）かつＲＢ信号がローレベル（Ｌ：アクティブ）の期間にハイレベル（Ｈ：アクティブ）、ＳＢ信号がローレベル（Ｌ：アクティブ）かつＲＢ信号がハイレベル（Ｈ：非アクティブ）の期間にハイレベル（Ｈ：アクティブ）、ＳＢ信号がハイレベル（Ｈ：非アクティブ）かつＲＢ信号がローレベル（Ｌ：アクティブ）の期間にローレベル（Ｌ：非アクティブ）、ＳＢ信号がハイレベル（Ｈ：非アクティブ）かつＲＢ信号がハイレベル（Ｈ：非アクティブ）の期間に保持状態となる。
【００９６】
〔フリップフロップ回路の形態６〕
図１３の（ａ）は、実施の形態６に係るフリップフロップ回路の構成を示す回路図である。同図に示すように、フリップフロップ回路１６ａは、ＣＭＯＳ回路を構成するＰチャネル型トランジスタＴｒ１２及びＮチャネル型トランジスタＴｒ１３と、ＣＭＯＳ回路を構成するＰチャネル型トランジスタＴｒ１４及びＮチャネル型トランジスタＴｒ１５と、Ｎチャネル型トランジスタＴｒ２０と、抵抗Ｒ４ａと、Ｓ端子と、Ｒ端子と、ＩＮＩＴ端子と、Ｑ端子と、ＱＢ端子とを備えている。
【００９７】
トランジスタＴｒ１２、Ｔｒ１３のゲート端子同士と、トランジスタＴｒ１４、Ｔｒ１５のドレイン端子同士と、ＱＢ端子とが互いに接続されている。トランジスタＴｒ１２、Ｔｒ１３のドレイン端子同士と、トランジスタＴｒ１４、Ｔｒ１５のゲート端子同士と、トランジスタＴｒ２０のドレイン端子と、Ｑ端子とが互いに接続されている。Ｓ端子がトランジスタＴｒ１３のソース端子に接続され、Ｒ端子がトランジスタＴｒ２０のゲート端子に接続され、トランジスタＴｒ２０のソース端子が電源ＶＳＳに接続されている。トランジスタＴｒ１５のソース端子がＩＮＩＴ端子に接続され、抵抗Ｒ４ａは一端が電源ＶＤＤに接続され、他端がトランジスタＴｒ１２のソース端子に接続されている。
【００９８】
トランジスタＴｒ１２、Ｔｒ１３、Ｔｒ１４及びＴｒ１５がラッチ回路ＬＣを構成し、抵抗Ｒ４ａがラッチ調整回路ＲＣ（調整回路）を構成し、トランジスタＴｒ２０がリセットトランジスタＲＴとして機能する。
【００９９】
図１３の（ｂ）は、フリップフロップ回路１６ａのＳ信号、Ｒ信号、Ｑ信号のタイミングチャートであり、図１３の（ｃ）はフリップフロップ回路１６ａの真理値表（ＩＮＩＴＢ信号が非アクティブの場合）である。図１３の（ｃ）に示されるように、フリップフロップ回路１６ａのＱ信号は、Ｓ信号がローレベル（Ｌ：非アクティブ）かつＲ信号がローレベル（Ｌ：非アクティブ）の期間に保持状態、Ｓ信号がローレベル（Ｌ：非アクティブ）かつＲ信号がハイレベル（Ｈ：アクティブ）の期間にローレベル（Ｌ：非アクティブ）、Ｓ信号がハイレベル（Ｈ：アクティブ）かつＲ信号がローレベル（Ｌ：非アクティブ）の期間にハイレベル（Ｈ：アクティブ）となり、Ｓ信号がハイレベル（Ｈ：アクティブ）かつＲ信号がハイレベル（Ｈ：アクティブ）の期間は不定となる。
【０１００】
（変形例）
図１４の（ａ）は、図１３の（ａ）の一変形例であるフリップフロップ回路１６ｂの構成を示す回路図である。図１４の（ａ）に示すように、フリップフロップ回路１６ｂは、ＣＭＯＳ回路を構成するＰチャネル型トランジスタＴｒ１２及びＮチャネル型トランジスタＴｒ１３と、ＣＭＯＳ回路を構成するＰチャネル型トランジスタＴｒ１４及びＮチャネル型トランジスタＴｒ１５と、Ｐチャネル型トランジスタＴｒ２１と、抵抗Ｒ２ｂと、ＳＢ端子と、ＲＢ端子と、ＩＮＩＴＢ端子と、Ｑ端子と、ＱＢ端子とを備えている。
【０１０１】
トランジスタＴｒ１２、Ｔｒ１３のゲート端子同士と、トランジスタＴｒ１４、Ｔｒ１５のドレイン端子同士と、トランジスタＴｒ２１のドレイン端子と、ＱＢ端子とが互いに接続され、トランジスタＴｒ１２、Ｔｒ１３のドレイン端子同士と、トランジスタＴｒ１４、Ｔｒ１５のゲート端子同士と、Ｑ端子とが互いに接続されている。ＳＢ端子がトランジスタＴｒ１４のソース端子に接続され、ＲＢ端子がトランジスタＴｒ２１のゲート端子に接続され、トランジスタＴｒ２１のソース端子が電源ＶＤＤに接続されている。トランジスタＴｒ１２のソース端子がＩＮＩＴＢ端子に接続されている。抵抗Ｒ２ｂは一端が電源ＶＳＳに接続され、他端がトランジスタＴｒ１５のソース端子に接続されている。
【０１０２】
トランジスタＴｒ１２、Ｔｒ１３、Ｔｒ１４及びＴｒ１５がラッチ回路ＬＣを構成し、抵抗Ｒ２ｂがラッチ調整回路ＲＣ（調整回路）を構成し、トランジスタＴｒ２１がリセットトランジスタＲＴとして機能する。
【０１０３】
図１４の（ｂ）は、フリップフロップ回路１６ｂのＳＢ信号、ＲＢ信号、Ｑ信号のタイミングチャートであり、図１４の（ｃ）はフリップフロップ回路１６ｂの真理値表（ＩＮＩＴ信号が非アクティブの場合）である。図１４の（ｃ）に示されるように、フリップフロップ回路１６ｂのＱ信号は、ＳＢ信号がローレベル（Ｌ：アクティブ）かつＲＢ信号がローレベル（Ｌ：アクティブ）の期間は不定となり、ＳＢ信号がローレベル（Ｌ：アクティブ）かつＲＢ信号がハイレベル（Ｈ：非アクティブ）の期間にハイレベル（Ｈ：アクティブ）、ＳＢ信号がハイレベル（Ｈ：非アクティブ）かつＲＢ信号がローレベル（Ｌ：アクティブ）の期間にローレベル（Ｌ：非アクティブ）、ＳＢ信号がハイレベル（Ｈ：非アクティブ）かつＲＢ信号がハイレベル（Ｈ：非アクティブ）の期間に保持状態となる。
【０１０４】
上述した各フリップフロップ回路は、液晶表示装置のシフトレジスタあるいは各種表示駆動回路に適用することができる。以下、一例を挙げる。
【０１０５】
〔シフトレジスタへの適用形態〕
図１５は、液晶表示装置１の概略構成を示すブロック図であり、図１６は、液晶表示装置１の画素の電気的構成を示す等価回路図である。
【０１０６】
まず、図１５及び図１６を用いて液晶表示装置１の概略構成について説明する。液晶表示装置１は、走査信号線駆動回路１００、データ信号線駆動回路３００、及び表示パネル４００を備えている。また、液晶表示装置１には、各駆動回路を制御する制御回路（図示せず）が含まれる。なお、各駆動回路はアクティブマトリクス基板にモノリシックに作り込まれていてもよい。
【０１０７】
表示パネル４００は、図示しないアクティブマトリクス基板と対向基板との間に液晶を挟持して構成されており、行列状に配列された多数の画素Ｐ（図１６）を有している。
【０１０８】
そして、表示パネル４００は、アクティブマトリクス基板上に、走査信号線４１（ＧＬｎ）、データ信号線４３（ＳＬｉ）、薄膜トランジスタ（Thin Film Transistor；以下「ＴＦＴ」とも言う）４４、及び画素電極４５を備え、対向基板上にコモンライン（共通電極配線）４２（ＣＭＬｎ）を備えている。なお、ｉ、ｎは２以上の整数である。
【０１０９】
走査信号線４１は行方向（横方向）に互いに平行となるように各行に１本ずつ形成されており、データ信号線４３は、列方向（縦方向）に互いに平行となるように各列に１本ずつ形成されている。図１６に示すように、ＴＦＴ４４及び画素電極４５は、走査信号線４１とデータ信号線４３との各交点に対応してそれぞれ形成されており、ＴＦＴ４４のゲート電極ｇが走査信号線４１に、ソース電極ｓがデータ信号線４３に、ドレイン電極ｄが画素電極４５にそれぞれ接続されている。また、画素電極４５は、コモンライン４２との間に容量Ｃｌｃ（液晶容量を含む）を形成している。
【０１１０】
これにより、走査信号線４１に供給されるゲート信号（走査信号）によってＴＦＴ４４のゲートをオン状態にし、データ信号線４３からのソース信号（データ信号）を画素電極４５に書き込んで画素電極４５を上記ソース信号に応じた電位に設定し、コモンライン４２との間に介在する液晶に対して上記ソース信号に応じた電圧を印加することによって、上記ソース信号に応じた階調表示を実現することができる。
【０１１１】
上記構成の表示パネル４００は、走査信号線駆動回路１００、データ信号線駆動回路３００、及びこれらを制御する制御回路によって駆動される。
【０１１２】
本実施の形態では、周期的に繰り返される垂直走査期間におけるアクティブ期間（有効走査期間）において、各行の水平走査期間を順次割り当て、各行を順次走査していく。
【０１１３】
そのため、走査信号線駆動回路１００は、ＴＦＴ４４をオンするためのゲート信号を各行の水平走査期間に同期して当該行の走査信号線４１に対して順次出力する。
【０１１４】
データ信号線駆動回路３００は、各データ信号線４３に対してソース信号を出力する。このソース信号は、液晶表示装置１の外部から制御回路を介してデータ信号線駆動回路３００に供給された映像信号を、データ信号線駆動回路３００において各列に割り当て、昇圧等を施した信号である。
【０１１５】
制御回路は、上述した走査信号線駆動回路１００、及びデータ信号線駆動回路３００を制御することにより、これら各回路から、ゲート信号、ソース信号、及びコモン信号を出力させる。
【０１１６】
走査信号線駆動回路１００を構成するシフトレジスタ１０は、ｍ個（ｍは２以上の整数）の単位回路１１を多段接続して構成されている。単位回路１１は、図１５に示すように、クロック用端子（ＣＫ端子）、セット用端子（Ｓ端子）、リセット用端子（Ｒ端子）、初期化用端子（ＩＮＩＴＢ端子）、及び出力端子ＯＵＴを有している。
【０１１７】
シフトレジスタ１０には、外部からスタートパルス（図示せず）と２相のクロック信号ＣＫ１、ＣＫ２が供給される。スタートパルスは、１段目の単位回路１１のＳ端子に与えられる。クロック信号ＣＫ１は、奇数段目の単位回路１１のＣＫ端子に与えられ、クロック信号ＣＫ２は、偶数段目の単位回路１１のＣＫ端子に与えられる。単位回路１１の出力は、出力端子ＯＵＴから、出力信号ＳＲＯＵＴとして対応する走査信号線ＧＬに出力されるとともに、後段の単位回路１１のＳ端子及び前段の単位回路１１のＲ端子に与えられる。
【０１１８】
具体的には、図１５に示すように、シフトレジスタ１０のｋ段目（ｋは１以上ｍ以下の整数）の単位回路１１のＳ端子に、（ｋ−１）段目の単位回路１１の出力信号ＳＲＯＵＴ（ｋ−１）が入力され、当該ｋ段目の単位回路１１は、出力信号ＳＲＯＵＴｋを走査信号線ＧＬｋに出力する。このように、シフトレジスタ１０は、シフト動作によって、出力信号ＳＲＯＵＴ１〜ＳＲＯＵＴｎを、走査信号線ＧＬ１〜ＧＬｎに順に出力する。なお、ｋ段目の単位回路１１の出力信号ＳＲＯＵＴｋは、（ｋ−１）段目の単位回路１１のＲ端子及び（ｋ＋１）段目の単位回路１１のＳ端子に入力される。
【０１１９】
以下、シフトレジスタ１０の詳細な構成について説明する。
【０１２０】
図１７及び図１８は、シフトレジスタ１０の各段を構成する単位回路１１の回路図である。両図に示すように、単位回路１１は、セットリセット型のフリップフロップ回路１２ａ（図３参照）、スイッチ回路１２ｂ、及びフローティング制御回路１２ｃを含んで構成される。フリップフロップ回路１２ａのＳ端子にはセット用信号が入力され、Ｒ端子にはリセット用信号が入力され、ＩＮＩＴ端子には初期化用信号（ＩＮＩＴ信号）が入力され、Ｑ端子からはＱ信号が出力され、ＱＢ端子からはＱＢ信号が出力される。なお、Ｓ信号（セット信号）、Ｒ信号（リセット信号）、ＩＮＩＴ信号（イニシャル信号）およびＱ信号（出力信号）はアクティブ時にハイレベルとなる信号であり、ＳＢ信号（セットバー信号）、ＲＢ信号（リセットバー信号）、ＩＮＩＴＢ信号（イニシャルバー信号）およびＱＢ信号（反転出力信号）はアクティブ時にローレベルとなる信号である。
【０１２１】
フリップフロップ回路１２ａは、図１８に示すように、ＣＭＯＳ回路（第１ＣＭＯＳ回路）を構成するＰチャネル型トランジスタＴｒ１及びＮチャネル型トランジスタＴｒ２と、ＣＭＯＳ回路（第２ＣＭＯＳ回路）を構成するＰチャネル型トランジスタＴｒ３及びＮチャネル型トランジスタＴｒ４と、ＣＭＯＳ回路を構成するＰチャネル型トランジスタＴｒ５及びＮチャネル型トランジスタＴｒ６と、抵抗Ｒ１ａ（ラッチ調整回路ＲＣ）とにより構成されている。
【０１２２】
スイッチ回路１２ｂは、Ｎチャネル型トランジスタＴｒ７（出力トランジスタ）、Ｔｒ８及び容量Ｃ１により構成されている。
【０１２３】
フローティング制御回路１２ｃは、Ｎチャネル型トランジスタＴｒ９（制御トランジスタ）により構成されている。なお、容量Ｃ１は、素子として設けられていても良いし、寄生容量として形成されるものでも良い。
【０１２４】
トランジスタＴｒ６は、ゲート端子がＳ端子に接続され、ソース端子がＲ端子に接続され、ドレイン端子がトランジスタＴｒ３、Ｔｒ４のゲート端子に接続されている。トランジスタＴｒ５は、ゲート端子がＩＮＩＴＢ端子に接続され、ソース端子が電源ＶＤＤに接続され、ドレイン端子がトランジスタＴｒ３、Ｔｒ４のゲート端子に接続されている。トランジスタＴｒ３は、ゲート端子がトランジスタＴｒ５、Ｔｒ６のドレイン端子に接続され、ソース端子が電源ＶＤＤに接続され、ドレイン端子がＱ端子に接続されている。トランジスタＴｒ４は、ゲート端子がトランジスタＴｒ５、Ｔｒ６のドレイン端子に接続され、ソース端子が電源ＶＳＳに接続され、ドレイン端子がＱ端子に接続されている。抵抗Ｒ１ａの一方の端子は電源ＶＤＤに接続されている。トランジスタＴｒ１は、ゲート端子がトランジスタＴｒ３、Ｔｒ４のドレイン端子及びＱ端子に接続され、ソース端子が抵抗Ｒ１ａの他方の端子に接続され、ドレイン端子がトランジスタＴｒ３、Ｔｒ４のゲート端子及びＱＢ端子に接続されている。トランジスタＴｒ２は、ゲート端子がトランジスタＴｒ３、Ｔｒ４のドレイン端子及びＱ端子に接続され、ソース端子がＲ端子に接続され、ドレイン端子がトランジスタＴｒ３、Ｔｒ４のゲート端子及びＱＢ端子に接続されている。
【０１２５】
フローティング制御回路１２ｃのトランジスタＴｒ９は、ゲート端子が電源ＶＤＤに接続され、ソース端子がＱ端子に接続されている。スイッチ回路１２ｂのトランジスタＴｒ７は、ゲート端子がトランジスタＴｒ９のドレイン端子に接続され、ソース端子がＣＫ端子に接続され、ドレイン端子が出力端子ＯＵＴに接続されている。トランジスタＴｒ８は、ゲート端子がＱＢ端子に接続され、ソース端子が電源ＶＳＳに接続され、ドレイン端子が出力端子ＯＵＴに接続されている。容量Ｃ１は、トランジスタＴｒ７のゲート端子とドレイン端子との間に設けられている。なお、容量Ｃ１とトランジスタＴｒ７のゲート端子とトランジスタＴｒ９のドレイン端子との接続点をノードｎ１とする。
【０１２６】
これにより、ｋ段目の単位回路１１のＳ端子には（ｋ−１）段目の単位回路１１の出力信号ＳＲＯＵＴ（ｋ−１）が入力され、ｋ段目の単位回路１１の出力端子ＯＵＴから、出力信号ＳＲＯＵＴｋがｋ行目の走査信号線ＧＬｋに供給される。また、出力信号ＳＲＯＵＴｋは、（ｋ＋１）段目の単位回路１１のＳ端子、及び、（ｋ−１）段目の単位回路１１のＲ端子に入力される。
【０１２７】
（動作について）
シフトレジスタ１０の動作について図１９を用いて説明する。図１９は、シフトレジスタ１０の動作時のタイミングチャートである。図１９では、（ｋ−１）段目の単位回路１１、ｋ段目の単位回路１１、（ｋ＋１）段目の単位回路１１における入出力信号を示している。
【０１２８】
ＳＲ（ｋ−２）、ＳＲ（ｋ−１）、ＳＲｋ、ＳＲ（ｋ＋１）は、それぞれ、シフトレジスタ１０の（ｋ−２）段目の単位回路１１、（ｋ−１）段目の単位回路１１、ｋ段目の単位回路１１、（ｋ＋１）段目の単位回路１１の出力信号ＳＲＯＵＴ（ｋ−２）、ＳＲＯＵＴ（ｋ−１）、ＳＲＯＵＴｋ、ＳＲＯＵＴ（ｋ＋１）の電位を示している。ｎ１は、図１８に示すノードｎ１の電位を示している。なお、出力信号ＳＲＯＵＴ（ｋ−２）が出力されてから次の出力信号ＳＲＯＵＴ（ｋ−２）が出力されるまでの期間が１垂直走査期間（１フレーム）に相当する。また、図１９では、任意の連続するフレームＦ（ｔ）、Ｆ（ｔ＋１）、Ｆ（ｔ＋２）について示している。
【０１２９】
各段の単位回路１１の動作は同一であるため、以下では、ｋ段目の単位回路１１の動作について説明する。
【０１３０】
初めに、セット動作について説明する。フレームＦ１において、ｋ段目の単位回路１１のＳ端子（図１８参照）に、シフトレジスタ１０の（ｋ−１）段目の単位回路１１の出力信号ＳＲＯＵＴ（ｋ−１）（ハイレベル（アクティブ））が入力される。ここで、ハイレベルの出力信号ＳＲＯＵＴ（ｋ−１）が入力される前は、Ｑ信号がローレベル、ＱＢ信号がハイレベルであり、トランジスタＴｒ６のドレイン端子と電源ＶＤＤが短絡した状態になっている。そのため、Ｓ端子に入力されるＳＲＯＵＴ（ｋ−１）の電位が閾値（Ｖｔｈ）落ちして電源電圧Ｖｄｄよりも低い場合は、トランジスタＴｒ６が確実にオン状態にならない。この点、単位回路１１は、トランジスタＴｒ６のドレイン端子と電源ＶＤＤとの間に抵抗Ｒ１ａ（調整回路）が設けられており、トランジスタＴｒ１の駆動能力を下げることができるため、トランジスタＴｒ６をオン状態にさせ、ドレイン端子の電位を、ＶＳＳ（ローレベル）に近い電位（インバータの反転レベルよりも低い電位）まで低下させることができる。よって、フリップフロップ回路１２ａの動作不具合を防ぐことができる。
【０１３１】
出力信号ＳＲＯＵＴ（ｋ−１）がハイレベル（アクティブ）のとき、（ｋ＋１）段目の単位回路１１の出力信号ＳＲＯＵＴ（ｋ＋１）はローレベル（非アクティブ）であるため、トランジスタＴｒ３がオン状態、トランジスタＴｒ４がオフ状態になり、Ｑ信号はハイレベル、ＱＢ信号はローレベルになる。Ｑ信号がハイレベルになると、ノードｎ１の電位がＶＤＤ−Ｖｔｈ（閾値）にチャージされた後、トランジスタＴｒ９はオフ状態になる。そして、ＶＤＤ−Ｖｔｈが与えられたトランジスタＴｒ７はオン状態になる。
【０１３２】
その後、Ｓ端子の出力信号ＳＲＯＵＴ（ｋ−１）がローレベル（非アクティブ）になると、トランジスタＴｒ６がオフ状態になる。ここで、トランジスタＴｒ１、Ｔｒ２のゲート端子にはＱ信号（ハイレベル）が入力（フィードバック）され、トランジスタＴｒ２がオン状態になるため、Ｒ端子のローレベルがトランジスタＴｒ２を介してトランジスタＴｒ３、Ｔｒ４のゲート端子に入力される。これにより、フリップフロップ回路１２ａの出力（Ｑ信号）はハイレベルに保持される。
【０１３３】
続いて、クロック信号ＣＫ２がハイレベル（ＶＤＤ）になると、トランジスタＴｒ７のドレイン端子はＶＤＤ−Ｖｔｈとなる。このとき、トランジスタＴｒ９がオフ状態でノードｎ１がフローティング状態のため、容量Ｃ１により、ノードｎ１の電位がＶＤＤ−Ｖｔｈ＋αに突き上げられる。これにより、トランジスタＴｒ７のゲート端子にＶＤＤ以上の電位が与えられるため、クロック信号ＣＫ２のＶＤＤが閾値落ちせずにトランジスタＴｒ７を通過する（ブートストラップ動作）。これにより、ハイレベル（ＶＤＤ）の出力信号ＳＲＯＵＴｋがそのまま出力される。その後、トランジスタＴｒ９はオフ状態のため、ノードｎ１の電位はＶＤＤ−Ｖｔｈ＋αに保持され、出力信号ＳＲＯＵＴｋはハイレベル（ＶＤＤ）を維持する。なお、出力信号ＳＲＯＵＴｋは、（ｋ−１）段目の単位回路１１のＲ端子、及び、（ｋ＋１）段目の単位回路１１のＳ端子に入力される。また、トランジスタＴｒ９はオフ状態のため、フリップフロップ回路１２ａの出力（Ｑ信号）は、ノードｎ１が高電圧になった際も、ハイレベル以上の高電圧になることはない。これにより、フリップフロップ回路１２ａを構成するトランジスタＴｒ２やＴｒ４が耐圧破壊を起こすことを防ぐことができる。
【０１３４】
その後、クロック信号ＣＫ２がローレベル（ＶＳＳ）になると、出力信号ＳＲＯＵＴｋはローレベル（ＶＳＳ）に切り替わる。このとき、ノードｎ１の電位はＶＤＤ−Ｖｔｈになる。
【０１３５】
（ｋ＋１）段目の単位回路１１では、上記ｋ段目の単位回路１１からハイレベル（ＶＤＤ）の出力信号ＳＲＯＵＴｋが入力されると、上記ｋ段目の単位回路１１と同一の動作が行われ、（ｋ＋１）段目の単位回路１１から、ハイレベル（ＶＤＤ）の出力信号ＳＲＯＵＴ（ｋ＋１）が出力される。この出力信号ＳＲＯＵＴ（ｋ＋１）は、上記ｋ段目の単位回路１１のＲ端子、及び（ｋ＋２）段目の単位回路１１のＳ端子に入力される。
【０１３６】
続いて、ｋ段目の単位回路１１のリセット動作について説明する。
【０１３７】
ｋ段目の単位回路１１のＲ端子に、ハイレベル（ＶＤＤ）の出力信号ＳＲＯＵＴ（ｋ＋１）が入力されると、この時点ではＱ信号（ハイレベル）によりトランジスタＴｒ２がオン状態になっているため、トランジスタＴｒ２を介してＱＢ端子がローレベルからハイレベルに切り替わる。また、同時にトランジスタＴｒ４がオン状態になるため、Ｑ信号がハイレベルからローレベルに切り替わる。Ｑ信号がローレベルになり、ＱＢ信号がハイレベルになると、ノードｎ１がローレベル（ＶＳＳ）になり、トランジスタＴｒ７がオフ状態になり、トランジスタＴｒ８がオン状態になる。これにより、出力信号ＳＲＯＵＴｋはハイレベル（ＶＤＤ）からローレベル（ＶＳＳ）に切り替わる。
【０１３８】
ここで、トランジスタＴｒ１、Ｔｒ２のゲート端子にはＱ信号（ローレベル）が入力され、トランジスタＴｒ２がオフ状態、トランジスタＴｒ１がオン状態になるため、電源電圧ＶｄｄがトランジスタＴｒ３、Ｔｒ４のゲート端子に入力される。これにより、フリップフロップ回路１２ａの出力（Ｑ信号）がローレベルに保持される。そのため、その後に出力信号ＳＲＯＵＴ（ｋ＋１）がローレベル（非アクティブ）になっても、出力信号ＳＲＯＵＴｋはローレベル（ＶＳＳ）に保持される。
【０１３９】
フレームＦ２において、ｋ段目の単位回路１１のＳ端子に、（ｋ−１）段目の単位回路１１の出力信号ＳＲＯＵＴ（ｋ−１）（ハイレベル（アクティブ））が入力されることにより、再び上記の動作（セット動作、リセット動作）が行われる。このようにして、出力信号ＳＲＯＵＴ１〜ＳＲＯＵＴｎが、走査信号線ＧＬ１〜ＧＬｎに順に出力される。
【０１４０】
（初期化動作）
ここで、初期化用信号ＩＮＩＴＢは、通常動作時にハイレベル（ＶＤＤ）になり、初期化時にローレベル（ＶＳＳ）になる信号である。初期化時は、各段の単位回路１１のトランジスタＴｒ５のゲート端子にローレベルが与えられることにより、トランジスタＴｒ５がオン状態になり、電源電圧ＶｄｄがトランジスタＴｒ４のゲート端子に与えられる。これにより、Ｑ信号がＶＳＳ（ローレベル）、ＱＢ信号がＶＤＤ（ハイレベル）になり、トランジスタＴｒ７がオフ状態、Ｔｒ８がオン状態になる。これにより、シフトレジスタ１０の全段の単位回路１１の出力信号ＳＲＯＵＴ１〜ＳＲＯＵＴｎがローレベルに固定される。
【０１４１】
上記液晶表示装置１によれば、上述のフリップフロップ回路１２ａを備えているため、回路面積を縮小化しつつ、走査信号線駆動回路１００の出力信号の電位レベルの低下を防いで安定した動作を行うことができる。
【０１４２】
なお、単位回路１１に含まれるフリップフロップ回路は、上記フリップフロップ回路１２ａに限定されるものではなく、上述した各形態１〜６のフリップフロップ回路を適用することができる。
【０１４３】
また、本実施の形態に係るフリップフロップ回路が適用可能なシフトレジスタは、上記シフトレジスタ１０に限定されるものではなく、周知のシフトレジスタに適用可能である。また、上記各フリップフロップ回路は、液晶表示装置を構成する各種表示駆動回路に適用することもできる。
【０１４４】
本発明の実施の形態に係るフリップフロップでは、上記調整回路は、上記第１〜第４トランジスタのうち上記電源に接続されるトランジスタの駆動能力を低下させる構成とすることもできる。
【０１４５】
本発明の実施の形態に係るフリップフロップでは、上記調整回路は抵抗により構成することもできる。
【０１４６】
本発明の実施の形態に係るフリップフロップでは、上記電源に接続されるトランジスタと、ドレイン端子が該トランジスタのドレイン端子に接続されるトランジスタと、これらトランジスタのドレイン端子に接続される上記第１または第２出力端子と、の接続点を第１接続点としたとき、上記抵抗は、上記電源と上記第１接続点との間に設けられている構成とすることもできる。
【０１４７】
本発明の実施の形態に係るフリップフロップでは、上記調整回路は、上記第１〜第４トランジスタの何れか１つにより構成されており、上記調整回路としてのトランジスタのチャネル長は、上記入力トランジスタのチャネル長よりも長く設定されている構成とすることもできる。
【０１４８】
本発明の実施の形態に係るフリップフロップでは、上記入力トランジスタはＰチャネル型であって、上記第２入力端子には、非アクティブ時に第１電位となり、アクティブ時に第１電位よりも低い第２電位となる信号が入力される構成とすることもできる。
【０１４９】
本発明の実施の形態に係るフリップフロップでは、上記入力トランジスタはＮチャネル型であって、上記第２入力端子には、アクティブ時に第１電位となり、非アクティブ時に第１電位よりも低い第２電位となる信号が入力される構成とすることもできる。
【０１５０】
本発明の実施の形態に係るフリップフロップでは、上記入力トランジスタはＰチャネル型であって、上記第２入力端子は高電位側電源に接続されている構成とすることもできる。
【０１５１】
本発明の実施の形態に係るフリップフロップでは、上記入力トランジスタはＮチャネル型であって、上記第２入力端子は低電位側電源に接続されている構成とすることもできる。
【０１５２】
本発明の実施の形態に係るフリップフロップでは、上記第１入力端子にはセット用信号が入力され、上記第２入力端子にはリセット用信号が入力される構成とすることもできる。
【０１５３】
本発明の実施の形態に係るフリップフロップでは、上記第１入力端子にはリセット用信号が入力され、上記第２入力端子にはセット用信号が入力される構成とすることもできる。
【０１５４】
本発明の実施の形態に係るフリップフロップでは、初期化用信号が入力される第３入力端子をさらに備え、上記第３入力端子は、上記第１〜第４トランジスタの何れか１つのソース端子に接続されている構成とすることもできる。
【０１５５】
本発明の実施の形態に係るシフトレジスタは、各段に上記何れかに記載のフリップフロップを備え、各段は、上記フリップフロップの出力信号に基づいて自段の出力信号を出力することを特徴とする。
【０１５６】
本発明の実施の形態に係る表示パネルは、上記シフトレジスタと画素回路とがモノリシックに形成されていることを特徴とする。
【０１５７】
本発明の実施の形態に係る表示装置は、上記シフトレジスタを備えていることを特徴とする。
【０１５８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５９】
本発明は、表示装置の各駆動回路に好適である。
【符号の説明】
【０１６０】
１          液晶表示装置（表示装置）
１０        シフトレジスタ
１１        シフトレジスタの単位回路
１１ａ      フリップフロップ回路（フリップフロップ）
４１        走査信号線（ゲートライン）
４２        共通電極配線（コモンライン）
４３        データ信号線（ソースライン）
４４        ＴＦＴ
４５        画素電極
１００      走査信号線駆動回路（ゲートドライバ）
３００      データ信号線駆動回路（ソースドライバ）
４００      表示パネル
Ｔｒ１、Ｔｒ１２  トランジスタ（第１トランジスタ）
Ｔｒ２、Ｔｒ１３  トランジスタ（第２トランジスタ）
Ｔｒ３、Ｔｒ１４  トランジスタ（第３トランジスタ）
Ｔｒ４、Ｔｒ１５  トランジスタ（第４トランジスタ）
Ｔｒ５、Ｔｒ６、Ｔｒ１７、Ｔｒ１９、  セットトランジスタ（入力トランジスタ）
Ｔｒ２０、Ｔｒ２１  リセットトランジスタ（入力トランジスタ）
Ｑ          端子（第１出力端子）
ＱＢ        端子（第２出力端子）
ＳＴ        セットトランジスタ（入力トランジスタ）
ＲＴ        リセットセットトランジスタ（入力トランジスタ）
ＬＣ        ラッチ回路
ＲＣ        ラッチ調整回路（調整回路）
Ｓ、ＳＢ    セット用端子（第１入力端子）
Ｒ、ＲＢ    リセット用端子（第２入力端子）
ＩＮＩＴ    初期化用端子（第３入力端子）
【図１】
2013002190.tif 000003
【図２】
2013002190.tif 000004
【図３】
2013002190.tif 000005
【図４】
2013002190.tif 000006
【図５】
2013002190.tif 000007
【図６】
2013002190.tif 000008
【図７】
2013002190.tif 000009
【図８】
2013002190.tif 000010
【図９】
2013002190.tif 000011
【図１０】
2013002190.tif 000012
【図１１】
2013002190.tif 000013
【図１２】
2013002190.tif 000014
【図１３】
2013002190.tif 000015
【図１４】
2013002190.tif 000016
【図１５】
2013002190.tif 000017
【図１６】
2013002190.tif 000018
【図１７】
2013002190.tif 000019
【図１８】
2013002190.tif 000020
【図１９】
2013002190.tif 000021
【図２０】
2013002190.tif 000022
【図２１】
2013002190.tif 000023
【国際調査報告】
2013002190.tif 000024
2013002190.tif 000025